(57)【要約】【課題】  画像形成装置を過去に操作していた状態に設定する操作を容易にすること。【解決手段】  携帯情報装置は、被写体を撮像するカメラと、ＭＦＰの操作画面の撮像に応じてＭＦＰに撮像したことを通知する通知部と、を備え、ＭＦＰは、操作画面を表示する表示制御部５１と、携帯情報装置から通知を受信することに応じて、通知を受信した時点で表示されている操作画面に関連する関連データを決定するデータ決定部５３と、決定された関連データを、携帯情報装置に送信する関連データ送信部５９と、を備え、携帯情報装置は、さらに、通知に応じて、ＭＦＰから関連データを受信する関連データ受信部と、受信された関連データを記憶する関連データ記憶部と、を備える。【選択図】        図５
2014036356.tif 000002
【特許請求の範囲】
【請求項１】
画像形成装置と該画像形成装置と通信可能な携帯情報装置とで構成される画像形成システムであって、
前記携帯情報装置は、被写体を撮像する撮像手段と、
前記画像形成装置の操作画面の撮像に応じて前記画像形成装置に撮像したことを通知する通知手段と、を備え、
前記画像形成装置は、操作画面を表示する表示制御手段と、
前記携帯情報装置から通知を受信することに応じて、前記通知を受信した時点で表示されている前記操作画面に関連する関連データを決定するデータ決定手段と、
前記決定された関連データを、前記携帯情報装置に送信する関連データ送信手段と、を備え、
前記携帯情報装置は、さらに、
前記通知に応じて、前記画像形成装置から前記関連データを受信する関連データ受信手段と、
前記受信された関連データを記憶する関連データ記憶手段と、を備える画像形成システム。
【請求項２】
前記携帯情報装置は、さらに、
前記撮像手段が前記画像形成装置の操作画面を撮像して得られる画像を記憶する画像記憶手段と、
前記画像形成装置から受信された前記関連データを前記記憶された画像と関連付ける関連付手段と、
前記画像記憶手段により記憶された前記画像を表示する画像表示制御手段と、
前記画像表示制御手段により表示された前記画像が指定されることに応じて、該指定された画像に関連付けられた前記関連データを含む遠隔操作指令を前記画像形成装置に送信する遠隔操作手段と、を備え、
前記画像形成装置は、前記携帯情報装置から受信される前記遠隔操作指令に従って、前記遠隔操作指令に含まれる前記関連データに基づいて処理を実行する遠隔制御手段をさらに備える、請求項１に記載の画像形成システム。
【請求項３】
前記遠隔操作手段は、前記関連データが前記画像形成装置が処理を実行するための設定値の場合、前記画像形成装置に前記設定値を設定させる遠隔操作指令を前記画像形成装置に送信する、請求項２に記載の画像形成システム。
【請求項４】
前記データ決定手段は、前記通知を受信した時点で表示されている前記操作画面が、前記画像形成装置が処理を実行するための設定値を設定する設定画面の場合、前記設定画面において設定されている設定値を関連データとして決定する、請求項３に記載の画像形成システム。
【請求項５】
前記データ決定手段は、前記通知を受信した時点で表示されている前記操作画面が、前記画像形成装置で実行した処理の履歴を表示する履歴表示画面の場合、前記履歴表示画面により特定される処理のために設定されていた設定値を関連データとして決定する、請求項３または４に記載の画像形成システム。
【請求項６】
前記画像形成装置は、さらに、
データを記憶するためのデータ記憶手段を備え、
前記データ決定手段は、前記通知を受信した時点で、前記画像形成装置が前記データ記憶手段により記憶された１以上のデータのうちから処理の対象として１つのデータを選択した状態の場合、前記通知を受信した時点で前記処理の対象に選択されているデータを関連データとして決定し、
前記遠隔操作手段は、前記関連データが前記画像形成装置が処理可能なデータの場合、前記画像形成装置に前記データを処理対象に設定させる遠隔操作指令を前記画像形成装置に送信する、請求項２に記載の画像形成システム。
【請求項７】
前記画像形成装置は複数であり、
前記携帯情報装置は、さらに、
前記複数の画像形成装置のうちから１つを選択する装置選択手段を備え、
前記通知手段は、前記装置選択手段により前記複数の画像形成装置のうちから選択された第１の画像形成装置に撮像したことを通知し、
前記遠隔操作手段は、前記装置選択手段により前記複数の画像形成装置のうちから選択された第２の画像形成装置に前記遠隔操作指令を送信する、請求項２〜６のいずれかに記載の画像形成システム。
【請求項８】
前記データ決定手段は、前記通知が受信された時点で表示されている前記操作画面が複数ページからなるデータの画像を表示するプレビュー画面の場合、前記複数ページからなるデータと、前記データに含まれる複数ページのうち前記プレビュー画面に表示されている画像に対応するページを識別するためのページ識別情報と、を前記関連データに決定し、
前記携帯情報装置は、さらに、
前記画像形成装置から前記関連データが受信されることに応じて、前記受信された関連データに複数ページからなるデータとページ識別情報とが含まれる場合、前記データに含まれる複数ページのうち前記ページ識別情報で特定されるページの画像を表示するページ画像表示制御手段を備える、請求項１に記載の画像形成システム。
【請求項９】
前記画像形成装置は、さらに、
データを記憶するためのデータ記憶手段を備え、
前記データ決定手段は、前記通知を受信した時点で前記操作画面が前記データ記憶手段により記憶された１以上のデータのうちから前記画像形成装置が処理の対象とするための１つのデータを選択可能な選択画面の場合、前記通知を受信した時点で前記選択画面において処理の対象に選択されているデータを前記関連データに決定する、請求項１に記載の画像形成システム。
【請求項１０】
画像形成装置と該画像形成装置と通信可能な携帯情報装置とで構成される画像形成システムで実行される連携方法あって、
前記携帯情報装置は、被写体を撮像する撮像手段を備えており、
前記携帯情報装置に、
前記撮像手段によって前記画像形成装置の操作画面が撮像されることに応じて前記画像形成装置に撮像したことを通知する通知ステップを実行させ、
前記画像形成装置に、
操作画面を表示する表示制御ステップと、
前記携帯情報装置から通知を受信することに応じて、前記通知を受信した時点で表示されている前記操作画面に関連する関連データを決定するデータ決定ステップと、
前記決定された関連データを、前記携帯情報装置に送信する関連データ送信ステップと、を実行させ、
前記携帯情報装置に、さらに、
前記通知に応じて、前記画像形成装置から前記関連データを受信する関連データ受信ステップと、
前記受信された関連データを記憶する関連データ記憶ステップと、を実行させる連携方法。
【請求項１１】
前記携帯情報装置に、さらに、
前記撮像手段が前記画像形成装置の操作画面を撮像して得られる画像を記憶する画像記憶ステップと、
前記画像形成装置から受信された前記関連データを前記記憶された画像と関連付ける関連付ステップと、
前記画像記憶ステップにおいて記憶された前記画像を表示する画像表示制御ステップと、
前記画像表示制御ステップにおいて表示された前記画像が指定されることに応じて、該指定された画像に関連付けられた前記関連データを含む遠隔操作指令を前記画像形成装置に送信する遠隔操作ステップと、を実行させ、
前記画像形成装置に、前記携帯情報装置から受信される前記遠隔操作指令に従って、前記遠隔操作指令に含まれる前記関連データに基づいて処理を実行する遠隔制御ステップをさらに実行させる、請求項１０に記載の連携方法。
【発明の詳細な説明】
【技術分野】
【０００１】
この発明は画像形成システムおよび連携方法に関し、特に、携帯情報装置により遠隔操作される画像形成装置を含む画像形成システムおよびその画像形成システムで実行される連携方法に関する。
【背景技術】
【０００２】
近年、複合機（ＭＦＰ）の機能が複雑化しており、処理を実行するための条件が多岐に亘るようになってきており、条件を設定する操作が煩雑な場合が多い。一方、近年、携帯情報装置が、個人のニーズに合うよう高機能化・多様化しており、個人に携帯されるために使用頻度がＭＦＰに比較して多く、複雑な操作手順であっても習得される。このため、携帯情報装置で、ＭＦＰを遠隔操作する技術が開発されている。
【０００３】
特開２００８−２２８０３６号公報には、携帯電話と画像処理装置とからなる画像処理システムであって、携帯電話が、機能設定情報入力プログラムを実行することにより、画像処理装置が機能設定するための入力画面を表示し、利用者が機能設定情報を入力すると、入力された機能設定情報を変換したコード画像を表示部に表示する。そして、利用者が携帯電話に表示されたコード画像を画像処理装置の読取部にかざすと、画像処理装置は、コード画像を読み取り、利用者の認証を行ってから、コード画像から機能設定情報を抽出して、機能設定情報にしたがって画像処理することが記載されている。
【０００４】
しかしながら、従来の画像処理システムにおいては、携帯電話機に、画像処理装置に対応する専用の機能設定情報入力プログラムをインストールしなければならない。例えば、画像処理装置の機能が拡張された場合、または、機能の異なる画像処理装置に適用する場合には、それらに適用した機能設定情報入力プログラムをインストールしなければならない。このため、携帯電話が、連携する画像処理装置が備える機能に依存するといった問題があった。
【特許文献１】特開２００６−６０５３５号公報
【発明の概要】
【発明が解決しようとする課題】
【０００５】
この発明は上述した問題点を解決するためになされたもので、この発明の目的の１つは、画像形成装置を遠隔操作していた時点の状態を携帯情報装置に記憶させる操作を容易にした画像形成システムを提供することである。
【０００６】
この発明の他の目的は、画像形成装置を過去に操作していた状態に設定する操作を容易にした画像形成システムを提供することである。
【０００７】
この発明のさらに他の目的は、画像形成装置を遠隔操作していた時点の状態を携帯情報装置に記憶させる操作を容易にした画像形成システムを提供することである。
【０００８】
この発明のさらに他の目的は、画像形成装置を過去に操作していた状態に設定する操作を容易にした連携方法を提供することである。
【課題を解決するための手段】
【０００９】
上述した目的を達成するためにこの発明のある局面によれば、画像形成システムは、画像形成装置と該画像形成装置と通信可能な携帯情報装置とで構成される画像形成システムであって、携帯情報装置は、被写体を撮像する撮像手段と、画像形成装置の操作画面の撮像に応じて画像形成装置に撮像したことを通知する通知手段と、を備え、画像形成装置は、操作画面を表示する表示制御手段と、携帯情報装置から通知を受信することに応じて、通知を受信した時点で表示されている操作画面に関連する関連データを決定するデータ決定手段と、決定された関連データを、携帯情報装置に送信する関連データ送信手段と、を備え、携帯情報装置は、さらに、通知に応じて、画像形成装置から関連データを受信する関連データ受信手段と、受信された関連データを記憶する関連データ記憶手段と、を備える。
【００１０】
この局面に従えば、携帯情報装置によって、画像形成装置の操作画面が撮像されると、画像形成装置に撮像したことが通知され、画像形成装置によって、携帯情報装置から通知を受信した時点で表示されている操作画面に関連する関連データが、携帯情報装置に送信され、携帯情報装置によって、画像形成装置から受信される関連データが記憶される。このため、携帯情報装置で撮像する操作によって、画像形成装置に表示されている操作画面に関連する関連データを携帯情報装置に記憶させることができる。その結果、画像形成装置を遠隔操作していた時点の状態を携帯情報装置に記憶させる操作を容易にした画像形成システムを提供することができる。
【００１１】
好ましくは、携帯情報装置は、さらに、撮像手段が画像形成装置の操作画面を撮像して得られる画像を記憶する画像記憶手段と、画像形成装置から受信された関連データを記憶された画像と関連付ける関連付手段と、画像記憶手段により記憶された画像を表示する画像表示制御手段と、画像表示制御手段により表示された画像が指定されることに応じて、該指定された画像に関連付けられた関連データを含む遠隔操作指令を画像形成装置に送信する遠隔操作手段と、を備え、画像形成装置は、携帯情報装置から受信される遠隔操作指令に従って、遠隔操作指令に含まれる関連データに基づいて処理を実行する遠隔制御手段をさらに備える。
【００１２】
この局面に従えば、携帯情報装置により、画像形成装置の操作画面を撮像して得られる画像が記憶され、記憶された画像が指定されることに応じて、指定された画像に関連付けられた関連データを含む遠隔操作指令が画像形成装置に送信され、画像形成装置により、遠隔操作指令に含まれる関連データに基づいて処理が実行される。このため、操作画面を撮像して得られる画像と関連データとが関連付けられるので、ユーザーは、画像を見て、その画像に含まれる操作画面に関連する関連データを容易に特定することができる。その結果、画像形成装置に表示されていた設定画面に関連する関連データを容易に特定することができる。また、画像形成装置は、携帯情報装置から受信される関連データに基づいて処理を実行するので、ユーザーが、過去に画像形成装置を操作していた時の操作画面の画像を選択する操作で、過去に画像形成装置を操作していた状態と同じ状態に画像形成装置を設定することができる。その結果、画像形成装置を過去に操作していた状態に設定する操作を容易にした画像形成システムを提供することができる。
【００１３】
好ましくは、遠隔操作手段は、関連データが画像形成装置が処理を実行するための設定値の場合、画像形成装置に設定値を設定させる遠隔操作指令を画像形成装置に送信する。
【００１４】
この局面に従えば、関連データが、画像形成装置が処理を実行するための設定値の場合、画像形成装置に設定値を設定させる遠隔操作指令が画像形成装置に送信される。このため、画像形成装置の設定値を、過去に画像形成装置を操作していたときに設定されていた設定値と同じ値に設定することができる。
【００１５】
好ましくは、データ決定手段は、通知を受信した時点で表示されている操作画面が、画像形成装置が処理を実行するための設定値を設定する設定画面の場合、設定画面において設定されている設定値を関連データとして決定する。
【００１６】
この局面に従えば、ユーザーは、画像形成装置に設定するための設定値を、設定画面の画像を選択することにより選択することができる。
【００１７】
好ましくは、データ決定手段は、通知を受信した時点で表示されている操作画面が、画像形成装置で実行した処理の履歴を表示する履歴表示画面の場合、履歴表示画面により特定される処理のために設定されていた設定値を関連データとして決定する。
【００１８】
この局面に従えば、ユーザーは、画像形成装置に設定するための設定値を、履歴表示画面の画像を選択することにより、過去に画像形成装置に処理を実行させたときの設定値と同じ値に設定することができる。
【００１９】
好ましくは、画像形成装置は、さらに、データを記憶するためのデータ記憶手段を備え、データ決定手段は、通知を受信した時点で、画像形成装置がデータ記憶手段により記憶された１以上のデータのうちから処理の対象として１つのデータを選択した状態の場合、通知を受信した時点で処理の対象に選択されているデータを関連データとして決定し、遠隔操作手段は、関連データが画像形成装置が処理可能なデータの場合、画像形成装置にデータを処理対象に設定させる遠隔操作指令を画像形成装置に送信する。
【００２０】
この局面に従えば、関連データが画像形成装置が処理可能なデータの場合、画像形成装置にデータを処理対象に設定させる遠隔操作指令が画像形成装置に送信される。このため、画像形成装置が処理対象とするデータを、過去に画像形成装置を操作していたときに処理対象に設定していたデータと同じデータに設定することができる。
【００２１】
好ましくは、画像形成装置は複数であり、携帯情報装置は、さらに、複数の画像形成装置のうちから１つを選択する装置選択手段を備え、通知手段は、装置選択手段により複数の画像形成装置のうちから選択された第１の画像形成装置に撮像したことを通知し、遠隔操作手段は、装置選択手段により複数の画像形成装置のうちから選択された第２の画像形成装置に遠隔操作指令を送信する。
【００２２】
この局面に従えば、ユーザーが、過去に画像形成装置を操作していた時の操作画面の画像を選択する操作で、その画像形成装置とは別の画像形成装置を、過去に操作していた画像形成装置の状態と同じ状態に設定することができる。
【００２３】
好ましくは、データ決定手段は、通知が受信された時点で表示されている操作画面が複数ページからなるデータの画像を表示するプレビュー画面の場合、複数ページからなるデータと、データに含まれる複数ページのうちプレビュー画面に表示されている画像に対応するページを識別するためのページ識別情報と、を関連データに決定し、携帯情報装置は、さらに、画像形成装置から関連データが受信されることに応じて、受信された関連データに複数ページからなるデータとページ識別情報とが含まれる場合、データに含まれる複数ページのうちページ識別情報で特定されるページの画像を表示するページ画像表示制御手段を備える。
【００２４】
この局面に従えば、画像形成装置によって、通知が受信された時点でプレビュー画面が表示されている場合、複数ページからなるデータと、プレビュー画面に表示されている画像に対応するページのページ識別情報と、が関連データに決定され、携帯情報装置によって、関連データに含まれるデータのページ識別情報で特定されるページの画像が表示される。このため、プレビュー画面に表示されている画像と同じ画像が携帯情報装置に表示される。その結果、プレビュー画面で表示されているページを含むデータが携帯情報装置に記憶されたことを通知することができる。
【００２５】
好ましくは、画像形成装置は、さらに、データを記憶するためのデータ記憶手段を備え、データ決定手段は、通知を受信した時点で操作画面がデータ記憶手段により記憶された１以上のデータのうちから画像形成装置が処理の対象とするための１つのデータを選択可能な選択画面の場合、通知を受信した時点で選択画面において処理の対象に選択されているデータを関連データに決定する。
【００２６】
この局面に従えば、画像形成装置によって、通知が受信された時点で選択画面が表示されている場合、画像形成装置において選択画面で選択されていたデータが関連データに決定され、携帯情報装置によって、関連データに含まれるデータが携帯情報装置に記憶される。その結果、選択画面で選択されたデータを携帯情報装置に記憶することができる。
【００２７】
この発明の他の局面によれば、連携方法は、画像形成装置と該画像形成装置と通信可能な携帯情報装置とで構成される画像形成システムで実行される連携方法あって、携帯情報装置は、被写体を撮像する撮像手段を備えており、携帯情報装置に、撮像手段によって画像形成装置の操作画面が撮像されることに応じて画像形成装置に撮像したことを通知する通知ステップを実行させ、画像形成装置に、操作画面を表示する表示制御ステップと、携帯情報装置から通知を受信することに応じて、通知を受信した時点で表示されている操作画面に関連する関連データを決定するデータ決定ステップと、決定された関連データを、携帯情報装置に送信する関連データ送信ステップと、を実行させ、携帯情報装置に、さらに、通知に応じて、画像形成装置から関連データを受信する関連データ受信ステップと、受信された関連データを記憶する関連データ記憶ステップと、を実行させる。
【００２８】
この局面に従えば、画像形成装置を遠隔操作していた時点の状態を携帯情報装置に記憶させる操作を容易にした連携方法を提供することができる。
【００２９】
好ましくは、携帯情報装置に、さらに、撮像手段が画像形成装置の操作画面を撮像して得られる画像を記憶する画像記憶ステップと、画像形成装置から受信された関連データを記憶された画像と関連付ける関連付ステップと、画像記憶ステップにおいて記憶された画像を表示する画像表示制御ステップと、画像表示制御ステップにおいて表示された画像が指定されることに応じて、該指定された画像に関連付けられた関連データを含む遠隔操作指令を画像形成装置に送信する遠隔操作ステップと、を実行させ、画像形成装置に、携帯情報装置から受信される遠隔操作指令に従って、遠隔操作指令に含まれる関連データに基づいて処理を実行する遠隔制御ステップをさらに実行させる。
【００３０】
この局面に従えば、操作画面を撮像して得られる画像と関連データとが関連付けられるので、ユーザーは、画像を見て、その画像に含まれる操作画面に関連する関連データを容易に特定することができる。また、画像形成装置に表示されていた設定画面に関連する関連データを容易に特定することができる。さらに、画像形成装置は、携帯情報装置から受信される関連データに基づいて処理を実行するので、ユーザーが、過去に画像形成装置を操作していた時の操作画面の画像を選択する操作で、過去に画像形成装置を操作していた状態と同じ状態に遠隔操作することができる。その結果、画像形成装置を過去に操作していた状態に設定する操作を容易にした連携方法を提供することができる。
【図面の簡単な説明】
【００３１】
【図１】図１は、本発明の実施の形態の１つにおける画像形成システムの全体概要を示す図である。
【図２】ＭＦＰの外観を示す斜視図である。
【図３】ＭＦＰのハードウェア構成の概要を示すブロック図である。
【図４】携帯情報装置のハードウェア構成の概要を示す機能ブロック図である。
【図５】本実施の形態におけるＭＦＰが備えるＣＰＵの機能の概要を示すブロック図である。
【図６】本実施の形態における携帯情報装置が備えるＣＰＵの機能の概要を示すブロック図である。
【図７】遠隔制御処理の流れの一例を示すフローチャートである。
【図８】データ決定処理の流れの一例を示すフローチャートである。
【図９】遠隔操作処理の流れの一例を示すフローチャートである。
【図１０】携帯情報装置とＭＦＰとで画像を形成する流れの一例を示す第１の図である。
【図１１】携帯情報装置とＭＦＰとで画像を形成する流れの一例を示す第２の図である。
【図１２】携帯情報装置とＭＦＰとで画像を形成する流れの一例を示す第３の図である。
【発明を実施するための形態】
【００３２】
以下、本発明の実施の形態について図面を参照して説明する。以下の説明では同一の部品には同一の符号を付してある。それらの名称および機能も同じである。したがってそれらについての詳細な説明は繰返さない。
【００３３】
図１は、本発明の実施の形態の１つにおける画像形成システムの全体概要を示す図である。図１を参照して、画像形成システム１は、それぞれがネットワーク２に接続された画像形成装置としてのＭＦＰ（Ｍｕｌｔｉ  Ｆｕｎｃｔｉｏｎ  Ｐｅｒｉｐｈｅｒａｌ）１００，１０１，１０２と、パーソナルコンピュータ（以下「ＰＣ」という）１０５と、携帯情報装置２００と、無線局３００とを含む。
【００３４】
ＰＣ１０５は、一般的なコンピュータであり、ＭＦＰ１００，１０１，１０２を制御するためのプリンタドライバプログラムがインストールされている。なお、ＭＦＰ１００，１０１，１０２の種類が異なる場合、ＰＣ１０５には、ＭＦＰ１００，１０１，１０２を制御するための３種類のプリンタドライバプログラムがそれぞれインストールされる。
【００３５】
ＭＦＰ１００，１０１，１０２各々は、原稿を読み取るための原稿読取機能、画像データに基づいて紙などの記録媒体に画像を形成するための画像形成機能およびファクシミリデータを送受信するファクシミリ送受信機能ファクシミリ送受信機能を備えている。なお、本実施の形態においてはＭＦＰ１００，１０１，１０２を例に説明するが、ＭＦＰ１００，１０１，１０２に代えて、画像を形成する機能を備えた装置であれば、例えば、プリンタ、ファクシミリ装置等であってもよい。また、ＭＦＰ１００，１０１，１０２は、機能が同じなので以下の説明では特に言及しない限りＭＦＰ１００を例に説明する。
【００３６】
携帯情報装置２００は、一般的な携帯電話であり、携帯電話用基地局と無線で通信することにより携帯電話網に接続し、通話が可能である。また、携帯情報装置２００は、無線ＬＡＮ機能を備えている。
【００３７】
ネットワーク２は、ローカルエリアネットワーク（ＬＡＮ）であり、接続形態は有線または無線を問わない。またネットワーク２は、ＬＡＮに限らず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク２は、インターネットなどのワイドエリアネットワーク（ＷＡＮ）に接続されている。
【００３８】
無線局３００は、ネットワーク２の中継装置であり、無線ＬＡＮ通信機能を備えた携帯情報装置２００と通信して、携帯情報装置２００をネットワーク２に接続する。ＭＦＰ１００，１０１，１０２各々は、ネットワーク２を介してＰＣ１０５とデータの送受信が可能である。また、ＭＦＰ１００，１０１，１０２各々は、ネットワーク２および無線局３００を介して携帯情報装置２００とデータの送受信が可能である。
【００３９】
図２は、ＭＦＰの外観を示す斜視図である。図３は、ＭＦＰのハードウェア構成の概要を示すブロック図である。図２および図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、ユーザーインターフェースとしての操作パネル１６０とを含む。
【００４０】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ１１８が装着される外部記憶装置１１７と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００４１】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００４２】
操作パネル１６０は、ＭＦＰ１００の上面に設けられ、表示部１６１と操作部１６３とを含む。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。操作部１６３は、複数のキーを備え、キーに対応するユーザーの操作による各種の指示、文字、数字などのデータの入力を受付ける。操作部１６３は、表示部１６１上に設けられたタッチパネルをさらに含む。
【００４３】
通信Ｉ／Ｆ部１１２は、ＭＦＰ１００をネットワーク２に接続するためのインターフェースである。ＣＰＵ１１１は、通信Ｉ／Ｆ部１１２を介してＭＦＰ１０１，１０２、ＰＣ１０５または携帯情報装置２００との間で通信し、データを送受信する。また、通信Ｉ／Ｆ部１１２は、ネットワーク２を介してインターネットに接続されたコンピュータと通信が可能である。
【００４４】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００４５】
外部記憶装置１１７は、ＣＤ−ＲＯＭ１１８が装着される。ＣＰＵ１１１は、外部記憶装置１１７を介してＣＤ−ＲＯＭ１１８にアクセス可能である。ＣＰＵ１１１は、外部記憶装置１１７に装着されたＣＤ−ＲＯＭ１１８に記録されたプログラムをＲＡＭ１１４にロードして実行する。なお、ＣＰＵ１１１が実行するプログラムを記憶する媒体としては、ＣＤ−ＲＯＭ１１８に限られず、光ディスク（ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００４６】
また、ＣＰＵ１１１が実行するプログラムは、ＣＤ−ＲＯＭ１１８に記録されたプログラムに限られず、ＨＤＤ１１５に記憶されたプログラムをＲＡＭ１１４にロードして実行するようにしてもよい。この場合、ネットワーク２に接続された他のコンピュータが、ＭＦＰ１００のＨＤＤ１１５に記憶されたプログラムを書換える、または、新たなプログラムを追加して書き込むようにしてもよい。さらに、ＭＦＰ１００が、ネットワーク２に接続された他のコンピュータからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００４７】
本実施の形態における画像形成システム１において、ＭＦＰ１００，１０１，１０２および携帯情報装置２００間で、データが送受信される。データを送受信するプロトコルは、受信側の装置において送信元を特定することができれば、任意のプロトコルを用いることが可能である。データを送受信するプロトコルは、例えばＨＴＴＰ（ＨｙｐｅｒＴｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）およびＳＭＰＴ（Ｓｉｍｐｌｅ  Ｍａｉｌ  Ｔｒａｎｓｆｅｒ  Ｐｒｏｔｏｃｏｌ）、ＰＯＰ（Ｐｏｓｔ  Ｏｆｆｉｃｅ  Ｐｒｏｔｏｃｏｌ）等が用いられる。
【００４８】
図４は、携帯情報装置のハードウェア構成の概要を示す機能ブロック図である。図４を参照して、携帯情報装置２００は、携帯情報装置２００の全体を制御するためのＣＰＵ２０１と、カメラ２０２と、データを不揮発的に記憶するフラッシュメモリ２０３と、通話部２０５と接続された無線通信部２０４と、情報を表示する表示部２０６と、ユーザーの操作の入力を受付ける操作部２０７と、無線ＬＡＮＩ／Ｆ２０８とを含む。
【００４９】
無線通信部２０４は、電話通信網に接続された携帯電話用基地局と無線通信する。無線通信部２０４は、携帯情報装置２００を電話通信網に接続し、通話部２０５を用いた通話を可能とする。無線通信部２０４は、携帯電話用基地局から受信した無線信号を復調した音声信号を復号して通話部２０５に出力する。また、無線通信部２０４は、通話部２０５から入力される音声を符号化し、携帯電話用基地局に送信する。通話部２０５は、マイクおよびスピーカを備え、無線通信部２０４から入力される音声をスピーカから出力し、マイクから入力される音声を無線通信部２０４に出力する。さらに、無線通信部２０４は、ＣＰＵ２０１により制御され、携帯情報装置２００を電子メールサーバに接続し、電子メールを送受信する。
【００５０】
カメラ２０２は、レンズおよび光電変換素子を備え、レンズで集光した光を光電変換素子に結像し、光電変換素子は受光した光を光電変換して画像データをＣＰＵ２０１に出力する。光電変換素子は、ＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ、ＣＣＤ（Ｃｈａｒｇｅ  Ｃｏｕｐｌｅｄ  Ｄｅｖｉｃｅ）センサ等である。
【００５１】
表示部２０６は、液晶表示装置（ＬＣＤ）、有機ＥＬＤ等の表示装置であり、ユーザーに対する指示メニューや取得した画像データに関する情報等を表示する。操作部２０７は、複数のキーを備え、キーに対応するユーザーの操作による各種の指示、文字、数字などのデータの入力を受け付ける。
【００５２】
無線ＬＡＮＩ／Ｆ２０８は、無線局３００と通信し、携帯情報装置２００をネットワーク２に接続するためのインターフェースである。携帯情報装置２００に予めＭＦＰ１００，１０１，１０２それぞれのＩＰ（Ｉｎｔｅｒｎｅｔ  Ｐｒｏｔｏｃｏｌ）アドレスを登録しておくことにより、携帯情報装置２００は、ＭＦＰ１００，１０１，１０２と通信することができ、データの送受信が可能となる。なお、本実施の形態においては、携帯情報装置２００が無線ＬＡＮＩ／Ｆ２０８を用いて、ＭＦＰ１００，１０１，１０１と通信する場合を例に説明するが、他の通信方法を用いて通信するようにしてもよい。具体的には、携帯情報装置２００、ＭＦＰ１００，１０１，１０１が、例えばＢｌｕｅｔｏｏｔｈ（登録商標）等の近距離無線装置を搭載する場合には、携帯情報装置２００が、ＭＦＰ１００，１０１，１０２のいずれかと、１対１で通信するようにしてもよい。また、携帯情報装置２００を、ＭＦＰ１００，１０１，１０２のいずれかと、例えばＵＳＢ（Ｕｎｉｖｅｒｓａｌ  Ｓｅｒｉａｌ  Ｂｕｓ）ケーブル等の有線で接続するようにし、携帯情報装置２００が、ＭＦＰ１００，１０１，１０２のいずれかと、１対１で通信するようにしてもよい。
【００５３】
フラッシュメモリ２０３は、ＣＰＵ２０１が実行するプログラム、またはそのプログラムを実行するために必要なデータを記憶する。ＣＰＵ２０１は、フラッシュメモリ２０３に記録されたプログラムを、ＣＰＵ２０１が備えるＲＡＭにロードして実行する。なお、ＣＰＵ２０１が実行するプログラムとして、フラッシュメモリ２０３に記録されたプログラムは、ネットワーク２に接続された他のコンピュータが、フラッシュメモリ２０３に記憶されたプログラムを書換えたプログラム、または、追加して書き込んだ新たなプログラムをであってもよい。さらに、携帯情報装置２００が、ネットワーク２に接続された他のコンピュータからダウンロードしたプログラムでもよい。ここでいうプログラムは、ＣＰＵ２０１が直接実行可能なプログラムだけでなく、ソースプログラム、圧縮処理されたプログラム、暗号化されたプログラム等を含む。
【００５４】
また、ＣＰＵ２０１が実行するプログラムを記憶する媒体としては、フラッシュメモリ２０３に限られず、光ディスク（ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００５５】
図５は、本実施の形態におけるＭＦＰが備えるＣＰＵの機能の概要を示すブロック図である。図５に示す機能は、ＭＦＰ１００が備えるＣＰＵ１１１が、ＲＯＭ１１３、ＨＤＤ１１５、ＣＤ−ＲＯＭ１１８に記憶された遠隔制御プログラムを実行することにより、ＣＰＵ１１１に形成される機能である。図５を参照して、ＣＰＵ１１１は、表示部１６１を制御するための表示制御部５１と、ユーザーを認証する認証部５５と、携帯情報装置２００から撮像通知を受信する通知受信部５７と、関連データを決定するデータ決定部５３と、関連データを携帯情報装置２００に送信する関連データ送信部５９と、携帯情報装置から受信される遠隔操作指令に従って処理を実行する遠隔制御部６１と、処理制御部６３と、を含む。
【００５６】
処理制御部６３は、設定値に従って処理を実行する。処理制御部６３が実行する処理は、画像形成部１４０を制御して画像を形成する画像形成処理、原稿読取部１３０を制御して原稿の画像を読み取る原稿読取処理、通信Ｉ／Ｆ部１１２を制御してデータを送受信するデータ送受信処理、ファクシミリ部１１６を制御してファクシミリデータを送受信するファクシミリ送受信処理、ＨＤＤ１１５または外部記憶装置１１７を制御して、データを書き込みまたはデータを読み出すデータ管理処理を含む。
【００５７】
処理制御部６３は、画像形成処理を実行する場合、画像形成の対象となるデータを処理対象とする。処理制御部６３は、原稿読取処理を実行する場合、原稿読取部１３０が原稿を読み取って出力するデータを処理対象とする。処理制御部６３は、データ送受信処理を実行する場合、通信Ｉ／Ｆ部１１２が送受信するデータを処理対象とする。処理制御部６３は、ファクシミリ送受信処理を実行する場合、ファクシミリ部１１６が送受信するファクシミリデータを処理対象とする。処理制御部６３は、データ管理処理を実行する場合、ＨＤＤ１１５または外部記憶装置１１７に書き込むデータまたはＨＤＤ１１５または外部記憶装置１１７から読み出すデータを処理対象とする。
【００５８】
表示制御部５１は、ＨＤＤ１１５に予め記憶された複数の操作画面のいずれかを表示部１６１に表示する。複数の操作画面は、互いに関連付けられており、１つの操作画面が他の操作画面に遷移するための遷移ボタンを有している。表示制御部５１は、遷移ボタンを指示する操作が操作部１６３で検出されると、その遷移ボタンに関連付けられた操作画面をＥＥＰＲＯＭ１１５から読み出して、表示部１６１に表示する。
【００５９】
表示制御部５１は、設定画面表示部７１と、ジョブ履歴表示部７３と、プレビュー画面表示部７５と、ＢＯＸ画面表示部７７と、を含む。複数の操作画面は、複数種類の操作画面を含む。設定画面表示部７１、ジョブ履歴表示部７３、プレビュー画面表示部７５、およびＢＯＸ画面表示部７７のいずれか１つが表示部１６１に操作画面を表示する。
【００６０】
設定画面表示部７１は、複数種類の操作画面のうち設定種類の操作画面を表示する。設定種類の操作画面は、処理制御部６３が処理を実行するための設定値を設定するための操作画面であり、設定されている設定値を表示する領域を含む。操作画面のうち設定種類の設定画面を、設定画面という。
【００６１】
設定画面表示部７１によって表示部１６１に設定画面が表示される場合、ユーザーは、操作部１６３に設定値を入力することが可能である。処理制御部６３は、表示部１６１に設定画面が表示されている状態で、操作部１６３に入力される設定値を受け付け、受け付けられた設定値を設定する。例えば、設定値をＲＡＭ１１４に記憶することにより、設定値を設定する。処理制御部６３は、操作部１６３が備えるスタートキーが指示されると、設定された設定値に従って、処理を実行する。
【００６２】
ジョブ履歴表示部７３は、複数種類の操作画面のうち履歴種類の操作画面を表示する。履歴種類の操作画面は、履歴情報を表示するする操作画面であり、処理制御部６３により記憶された履歴情報を表示する領域を含む。操作画面のうち履歴種類の操作画面を、ジョブ履歴画面という。処理制御部６３は、処理を実行する場合、処理を実行した結果を示す履歴情報をＨＤＤ１１５に記憶するので、ジョブ履歴表示部７３は、ＨＤＤ１１５に記憶された履歴情報を読出し、ジョブ履歴画面を表示部１６１に表示する。
【００６３】
履歴情報は、処理制御部６３が実行する処理の単位であるジョブを識別するためのジョブ識別情報と、ジョブを実行した日時と、処理を識別するための処理識別情報と、処理を実行する際に設定されていた設定値と、を含む。例えば、ジョブがファクシミリを送信するファクシミリ送信処理であれば、ファクシミリ送信処理に対して付されたジョブ識別情報と、ファクシミリ送信処理を実行した日時と、ファクシミリ送信処理を識別するための処理識別情報「ファクシミリ送信」と、ファクシミリ送信処理のために設定された設定値として、ファクシミリデータの送信先のファクシミリ番号と、ファクシミリデータを識別するためのデータ識別情報と、を含む。
【００６４】
プレビュー画面表示部７５は、複数種類の操作画面のうちプレビュー種類の操作画面を表示する。プレビュー種類の操作画面は、処理制御部６３が処理対象とするデータの画像を表示する操作画面であり、処理制御部６３が処理対象とするデータの画像を表示する領域を含む。操作画面のうちプレビュー種類の操作画面を、プレンビュー画面という。プレビュー画面に含まれる画像に対応するデータは、処理制御部６３が処理対象とするデータのうち、原稿読取部１３０が原稿を読み取って出力するデータ、ＨＤＤ１１５または外部記憶装置１１７から読み出されたデータを含む。
【００６５】
ＢＯＸ画面表示部７７は、複数種類の操作画面のうちＢＯＸ種類の操作画面を表示する。ＢＯＸ種類の操作画面は、処理制御部６３が処理対象とするデータの指定を受け付ける操作画面であり、ＨＤＤ１１５に記憶されたデータの一覧を表示する領域を含む。操作画面のうちＢＯＸ種類の操作画面を、ＢＯＸ画面という。データの一覧を表示する領域は、データを識別するためのデータ識別情報を含む。
【００６６】
認証部５５は、通信Ｉ／Ｆ部１１２が携帯情報装置２００との間の接続を確立し、携帯情報装置２００からログイン要求を受信すると、携帯情報装置２００にログイン画面を送信する。ログイン画面は、ユーザーを識別するためのユーザー識別情報を入力する領域と、認証情報を入力する領域とを含む。認証部５５は、ログイン画面を送信した携帯情報装置２００からユーザー識別情報と認証情報とを受信し、携帯情報装置２００を操作するユーザーを認証する。ＭＦＰ１００は、ユーザーを識別するためのユーザー識別情報と認証情報とを含むユーザーデータをＨＤＤ１１５に記憶している。認証部５５は、携帯情報装置２００から受信されたユーザー識別情報と認証情報とをＨＤＤ１１５に予め記憶されているユーザーデータと比較する。認証部５５は、両者が一致すれば認証成功と判断し、ログインを許可するが、両者が一致しなければ認証失敗と判断し、ログインを許可しない。認証部５５は、ログインを許可する場合は許可信号を返信し、ログインを許可しない場合は不許可信号を返信する。
【００６７】
また、認証部５５は、携帯情報装置２００との間の接続を確立する際に、携帯情報装置２００の装置識別情報を取得する。携帯情報装置２００の識別情報は、例えば、携帯情報装置２００に割り当てられたネットワーク２上の位置情報である。ネットワーク２上の位置情報は、例えば、ＩＰ（Ｉｎｔｅｒｎｅｔ  Ｐｒｏｔｏｃｏｌ）アドレスまたはＭＡＣ（Ｍｅｄｉａ  Ａｃｃｅｓｓ  Ｃｏｎｔｒｏｌ）アドレスである。認証部５５は、認証に成功する場合に、認証した携帯情報装置２００を操作するユーザーを識別するためのユーザー識別情報と携帯情報装置２００の装置識別情報との組を、通知受信部５７、関連データ送信部５９および遠隔制御部６１に出力する。
【００６８】
本実施の形態においては、認証情報としてパスワードを用いる例を示すが、認証情報をユーザーの指紋、静脈パターン、虹彩等の生体情報を用いるようにしてもよい。この場合、携帯情報装置２００は、生体情報を読み取るための読取装置を備える。
【００６９】
通知受信部５７は、認証部５５からユーザー識別情報と携帯情報装置２００の装置識別情報との組が入力された後、装置識別情報で特定される携帯情報装置２００から送信される撮像通知を受信する。通知受信部５７は、通信Ｉ／Ｆ部１１２が撮像通知を受信する場合、撮像通知を送信してきた装置の装置識別情報を取得し、認証部５５から入力される装置識別情報と比較する。通知受信部５７は、撮像通知を送信してきた装置の装置識別情報と認証部５５から入力される装置識別情報とが同じならば、通信Ｉ／Ｆ部１１２が受信した撮像通知を取得するが、両者が異なれば、通信Ｉ／Ｆ部１１２が受信した撮像通知を廃棄する。これにより、認証部５５によって認証されたユーザーが携帯情報装置２００を操作する場合に限って、撮像通知を受信することができる。
【００７０】
撮像通知は、後述する携帯情報装置２００が、カメラ２０２でＭＦＰ１００の表示部１６１に表示された操作画面を撮像する際に、ＭＦＰ１００に送信する信号である。ＭＦＰ１００に予め登録されたユーザーによって携帯情報装置２００が操作され、携帯情報装置２００から送信される撮像通知のみを受信することができる。通知受信部５７は、撮像通知を受信すると、撮像通知を受信したことを示す通知受信信号と携帯情報装置２００の装置識別情報との組をデータ決定部５３および関連データ送信部５９に出力する。
【００７１】
データ決定部５３は、通知受信部５７から通知受信信号が入力された時点で、表示部１６１に表示されている操作画面に関連する関連データを決定する。データ決定部５３は、決定された関連データを関連データ送信部５９に出力する。データ決定部５３は、設定値決定部８１と、履歴特定部８３と、プレビューデータ取得部８５と、ページ番号特定部８７と、選択データ取得部８９と、を含む。設定値決定部８１、履歴特定部８３、プレビューデータ取得部８５、ページ番号特定部８７および選択データ取得部８９それぞれが関連データを決定する。
【００７２】
設定値決定部８１は、通知受信部５７から通知受信信号が入力される時点で、設定画面表示部７１によって表示部１６１に設定画面が表示されている場合、設定画面において設定されている設定値を関連データに決定する。設定画面表示部７１によって表示部１６１に設定画面が表示されている場合、処理制御部６３によって設定値が受け付けられＲＡＭ１１４に設定値が記憶される。設定値決定部８１は、ＲＡＭ１１４から設定値を読み出すことにより取得する。設定画面において設定されている設定値は、設定画面に表示されている設定値に限らず、設定画面に対応する処理を実行するための設定値のすべてを含む。例えば、設定画面が、画像形成処理を実行するための設定値として、画像形成枚数を表示する領域を含む場合、画像形成処理を実行するための設定値として設定されているすべての設定値を含む。画像形成処理を実行するための設定値は、例えば、用紙のサイズ、拡大率または縮小率、ソートの有無等を含む。
【００７３】
履歴特定部８３は、通知受信部５７から通知受信信号が入力される時点で、ジョブ履歴表示部７３によって表示部１６１にジョブ履歴画面が表示されている場合、ジョブ履歴画面に含まれる履歴情報を特定し、特定した履歴情報を関連データに決定する。ジョブ履歴画面が複数の履歴情報を含む場合、ユーザーが操作部１６３に入力する操作によって、複数の履歴情報のうちから選択された１つの履歴情報を特定する。
【００７４】
プレビューデータ取得部８５は、通知受信部５７から通知受信信号が入力される時点で、プレビュー画面表示部７５によって表示部１６１にプレビュー画面が表示されている場合、プレビュー画面に含まれる画像に対応するデータを取得し、取得されたデータを関連データに決定する。プレビュー画面に含まれる画像に対応するデータは、処理制御部６３が処理対象とするデータのうち、原稿読取部１３０が原稿を読み取って出力するデータ、ＨＤＤ１１５または外部記憶装置１１７から読み出されたデータを含む。このため、取得されたデータが複数ページで構成される場合がある。
【００７５】
ページ番号特定部８７は、プレビューデータ取得部８５により特定されたデータが、複数ページからなる場合、プレビュー画面に含まれる画像に対応するページを特定し、特定したページを識別するためのページ識別情報を関連データに決定する。
【００７６】
選択データ取得部８９は、通知受信部５７から通知受信信号が入力される時点で、ＢＯＸ画面表示部７７によって表示部１６１にＢＯＸ画面が表示されている場合、ＢＯＸ画面によってユーザーにより処理対象に選択されたデータを関連データに決定する。ＢＯＸ画面表示部７７によって表示部１６１にＢＯＸ画面が表示されている状態において、ユーザーは、操作部１６３を操作して、ＢＯＸ画面のデータの一覧を表示する領域に含まれるデータ識別情報の１つを選択することができる。選択データ取得部８９は、ユーザーが操作部１６３に入力する操作を受け付け、ＢＯＸ画面のデータの一覧を表示する領域に含まれるデータ識別情報のうちからユーザーにより選択された１つを特定し、特定したデータを、ＨＤＤ１１５または外部記憶装置１１７から取得する。
【００７７】
関連データ送信部５９は、認証部５５からユーザー識別情報と装置識別情報との組が入力され、通知受信部５７から通知受信信号と装置識別情報との組が入力され、データ決定部５３から関連データが入力される。関連データ送信部５９は、認証部５５から入力される装置識別情報と同じ装置識別情報と通知受信信号との組が通知受信部５７から入力される場合、データ決定部５３から入力される関連データを、装置識別情報で識別される携帯情報装置２００に、通信Ｉ／Ｆ部１１２を介して送信する。
【００７８】
遠隔制御部６１は、認証部５５からユーザー識別情報と装置識別情報との組が入力され後、装置識別情報で特定される携帯情報装置２００から送信される遠隔操作指令を受信する。遠隔制御部６１は、通信Ｉ／Ｆ部１１２が遠隔操作指令を受信する場合、遠隔操作指令を送信してきた装置の装置識別情報を取得し、認証部５５から入力される装置識別情報と比較する。遠隔制御部６１は、遠隔操作指令を送信してきた装置の装置識別情報と認証部５５から入力される装置識別情報とが同じならば、通信Ｉ／Ｆ部１１２が受信した遠隔操作指令を取得するが、両者が異なれば、通信Ｉ／Ｆ部１１２が受信した遠隔操作指令を廃棄する。これにより、認証部５５によって認証されたユーザーが携帯情報装置２００を操作する場合に限って、遠隔操作指令を受信することができる。
【００７９】
遠隔制御部６１は、遠隔操作指令を受信する場合、遠隔操作指令に従って、処理制御部６３に処理を実行させる。遠隔操作指令は、後述するように、関連データを含む。遠隔操作指令は、設定値を設定させる遠隔操作指令と、処理対象を設定させる遠隔操作指令と、を含む。設定値を設定させる遠隔操作指令に含まれる関連データは設定値であり、処理対象を設定させる遠隔操作指令に含まれる関連データは設定値とは異なるデータである。
【００８０】
遠隔制御部６１は、設定値を設定させる遠隔操作指令を受信する場合、遠隔操作指令に含まれる関連データである設定値を、設定する。具体的には、ＲＡＭ１１４に設定値を記憶する。遠隔制御部６１は、処理対象を設定させる遠隔操作指令を受信する場合、遠隔操作指令に含まれる関連データに含まれるデータを処理対象に設定する。具体的には、ＲＡＭ１１４に関連データに含まれるデータを記憶する。
【００８１】
図６は、本実施の形態における携帯情報装置が備えるＣＰＵの機能の概要を示すブロック図である。図６に示す機能は、携帯情報装置２００が備えるＣＰＵ２０１が、フラッシュメモリ２０３に記憶された遠隔操作プログラムを実行することにより、ＣＰＵ２０１に形成される機能である。図６を参照して、携帯情報装置２００が備えるＣＰＵ２０１は、遠隔操作の対象となる装置を選択する装置選択部２５１と、遠隔操作の対象となる装置にログインするログイン部２５３と、カメラ２０２を制御する撮像制御部２６３と、遠隔操作の対象となる装置にカメラ２０２で撮像したことを通知するための通知部２５５と、カメラ２０２が撮像した撮像画像を記憶する画像記憶部２６５と、遠隔操作の対象となる装置から関連データを受信する関連データ受信部２５７と、関連データを表示するページ画像表示制御部２５９と、関連データと撮像画像とを関連付ける関連付部２６７と、画像記憶部２６５により記憶された撮像画像を表示する画像表示制御部２６９と、撮像画像を選択する画像選択部２７１と、遠隔操作の対象となる装置を遠隔操作する遠隔操作部２７３と、を含む。
【００８２】
装置選択部２５１は、ＭＦＰ１００，１０１，１０２のうちからユーザーが選択した装置を、遠隔操作の対象となる装置として選択する。装置選択部２５１は、遠隔操作の対象となり得る装置として、ＭＦＰ１００，１０１，１０２が予め登録されている。装置選択部２５１は、ＭＦＰ１００，１０１，１０２それぞれの装置識別情報を含む選択画面を、表示部２０６に表示する。ユーザーが選択画面に表示された装置識別情報を選択する操作を操作部２０７に入力すれば、装置選択部２５１は、ＭＦＰ１００，１０１，１０２のうち選択された装置識別情報の装置を、遠隔操作の対象となる装置として選択する。装置選択部２５１は、遠隔操作の対象となる装置として選択された装置の装置識別情報を、ログイン部２５３に出力する。
【００８３】
ログイン部２５３は、装置選択部２５１から遠隔操作の対象となる装置の装置識別情報が入力されることに応じて、遠隔操作の対象となる装置にログインする。ここでは、遠隔操作の対象となる装置として、ＭＦＰ１００がユーザーにより選択された場合を例に説明する。具体的には、無線ＬＡＮＩ／Ｆ２０８を介して、ＭＦＰ１００にログイン要求を送信する。ログイン要求を受信するＭＦＰ１００は、ログイン画面を返信するので、ログイン部２５３は、ＭＦＰ１００から受信するログイン画面を表示部２０６に表示し、ユーザーが操作部２０７にログイン画面に従がって入力するユーザー識別情報と認証情報とを受け付ける。ログイン部２５３は、受け付けられたユーザー識別情報と認証情報との組をＭＦＰ１００に無線ＬＡＮＩ／Ｆ２０８を介して送信する。ＭＦＰ１００においては、上述したように、ログインを許可する場合は許可信号を返信し、ログインを許可しない場合は不許可信号を返信する。ログイン部２５３は、無線ＬＡＮＩ／Ｆ２０８がＭＦＰ１００から許可信号を受信するならば、ログインが許可されたＭＦＰ１００の装置識別情報を、通知部２５５および遠隔操作部２７３に、出力する。
【００８４】
撮像制御部２６３は、操作部２０７が備えるシャッターボタンがユーザーにより押下されると、カメラ２０２を制御して、カメラ２０２に撮像させる。そして、撮像制御部２６３は、カメラ２０２が被写体を撮像して出力する撮像画像を受け付ける。カメラ２０２の被写体は、遠隔操作の対象となるＭＦＰ１００の表示部１６１に表示された操作画面である。撮像制御部２６３は、受け付けた撮像画像を画像記憶部２６５に出力するとともに、通知部２５５に撮像したことを通知させるための通知指示を出力する。
【００８５】
画像記憶部２６５は、撮像画像をフラッシュメモリ２０３に記憶するとともに、撮像画像を識別するための画像識別情報を関連付部２６７に出力する。
【００８６】
通知部２５５は、ログイン部２５３から遠隔操作の対象となる装置の装置識別情報が入力された後、撮像制御部２６３から通知指示が入力されることに応じて、装置識別情報で特定される遠隔操作の対象となる装置に撮像したことを示す撮像通知を送信するとともに、関連データ受信部２５７に撮像通知を送信した遠隔操作の対象となる装置の装置識別情報を出力する。換言すれば、通知部２５５は、携帯情報装置２００を操作するユーザーが、遠隔操作の対象となる装置、例えば、ＭＦＰ１００の表示部１６１に表示された操作画面を被写体として撮像したことを、ＭＦＰ１００に通知する。
【００８７】
関連データ受信部２５７は、通知部２５５から装置識別情報が入力される。上述したように、ＭＦＰ１００は、遠隔操作の対象となる装置となる場合、携帯情報装置２００から撮像通知を受信することに応じて、関連データを返信するので、関連データ受信部２５７は、無線ＬＡＮＩ／Ｆ２０８がＭＦＰ１００から受信する関連データを取得する。関連データ受信部２５７は、無線ＬＡＮＩ／Ｆ２０８が受信する関連データを送信してきた装置識別情報が、通知部２５５から入力される装置識別情報と同じである場合に、関連データを取得する。これにより、撮像通知を送信した装置のみから関連データを受信することができる。関連データ受信部２５７は、受信された関連データと装置識別情報との組を関連データ記憶部２６１に出力するとともに、ページ画像表示制御部２５９に出力する。
【００８８】
ページ画像表示制御部２５９は、関連データ受信部２５７から関連データが入力されると、関連データがページ識別情報を含むか否かを判断する。ページ画像表示制御部２５９は、関連データがページ識別情報を含む場合、表示部２０６を制御して、関連データに含まれる複数ページのデータのうち、ページ識別情報で特定されるページの画像を表示させる。
【００８９】
遠隔操作の対象となる装置が、例えば、ＭＦＰ１００の場合を例に、具体的に説明する。ページ画像表示制御部２５９が関連データのページの画像を表示部２０６に表示する場合は、ＭＦＰ１００の表示部１６１にプレビュー画面が表示されている状態で、ユーザーが携帯情報装置２００を操作して、ＭＦＰ１００にログインし、その後、表示部１６１に表示されたプレビュー画面を被写体として、操作部２０７のシャッターボタンを押下した場合である。この場合、ＭＦＰ１００は、プレビュー画面に含まれる画像に対応するデータと、その画像のページのページ識別情報とを関連データとして、携帯情報装置２００に送信する。ページ画像表示制御部２５９は、ＭＦＰ１００から受信された関連データに含まれる複数ページのデータのうち、ページ識別情報で特定されるページの画像を表示部２０６に表示するので、表示部２０６に表示される画像と、ＭＦＰ１００の表示部２０６に表示されているプレビュー画面に含まれる画像とが同じとなる。このため、ユーザーは、プレビュー画面に含まれる画像に対応するデータが、ＭＦＰ１００から携帯情報装置２００に転送されたことを、データの送信元と送信先とで同じ画像が表示されていることで確認することができる。
【００９０】
関連データ記憶部２６１は、関連データと装置識別情報との組をフラッシュメモリ２０３に記憶するとともに、関連データを識別するためのデータ識別情報を関連付部２６７に出力する。
【００９１】
関連付部２６７は、関連データと撮像画像とを関連付ける。関連付部２６７は、関連データ記憶部２６１から関連データのデータ識別情報が入力され、画像記憶部２６５から撮像画像の画像識別情報が入力される。関連付部２６７は、データ識別情報と画像識別情報とを含む関連付レコードを生成し、フラッシュメモリ２０３に記憶する。
【００９２】
画像表示部制御部２６９は、画像記憶部２６５によってフラッシュメモリ２０３に記憶された撮像画像を、表示部２０６に表示する。画像記憶部２６５によってフラッシュメモリ２０３に複数の撮像画像が記憶されている場合、複数の撮像画像を表示する。複数の撮像画像を１つの画面に表示してもよいし、１以上の撮像画像を含む画面を順に表示してもよい。撮像画像を縮小して表示するようにしてもよい。
【００９３】
画像選択部２７１は、表示部２０６に表示された撮像画像を選択する。ユーザーが操作部２０７に入力する操作に従って、表示部２０６に表示された１以上の撮像画像のうちから１つを選択する。画像選択部２７１は、選択された撮像画像の画像識別情報を遠隔操作部２７３に出力する。
【００９４】
遠隔操作部２７３は、ログイン部２５３から遠隔操作の対象となる装置の装置識別情報が入力され、画像選択部２７１から画像識別情報が入力される。遠隔操作部２７３は、画像選択部２７１から画像識別情報が入力されることに応じて、その画像識別情報に関連付部２６７により関連付けられた関連データを取得する。関連付部２６７は、関連付レコードをフラッシュメモリ２０３に記憶するので、フラッシュメモリ２０３に記憶された関連付レコードのうちから画像選択部２７１から入力される画像識別情報を含む関連付レコードを抽出し、抽出された関連付レコードに含まれるデータ識別情報を取得する。そして、フラッシュメモリ２０３に記憶された関連データのうちから、取得されたがデータ識別情報で特定される関連データを取得する。遠隔操作部２７３は、関連データを含む遠隔操作指令を生成し、ログイン部２５３から入力される装置識別情報で特定される装置に、無線ＬＡＮＩ／Ｆ２０８を介して、生成された遠隔操作指令を送信する。
【００９５】
遠隔操作部２７３は、関連データがＭＦＰ１００，１０１，１０２が処理を実行するための設定値を含む場合、遠隔操作の対象となる装置に、関連データに含まれる設定値を設定させる遠隔操作指令を生成する。また、遠隔操作部２７３は、関連データが設定値を含まない場合、遠隔操作の対象となる装置に、関連データを処理対象に設定させる遠隔操作指令を生成する。遠隔操作指令を受信するＭＦＰ１００，１０１，１０２の動作に「ついては、上述したのでここでは説明を繰り返さない。
【００９６】
なお、通知部２５５が撮像通知を送信する段階で遠隔操作の対象となる装置と、遠隔操作部２７３が遠隔操作指令を送信する段階で遠隔操作の対象となる装置とは、同じであってもよいし、異なってもよい。
【００９７】
図７は、遠隔制御処理の流れの一例を示すフローチャートである。遠隔制御処理は、ＭＦＰ１００が備えるＣＰＵ１１１が、ＲＯＭ１１３、ＨＤＤ１１５、ＣＤ−ＲＯＭ１１８に記憶された遠隔制御プログラムを実行することにより、ＣＰＵ１１１により実行される処理である。
【００９８】
図７を参照して、ＣＰＵ１１１は、ログイン要求を受信したか否かを判断する（ステップＳ２１）。通信Ｉ／Ｆ部１１２が携帯情報装置２００との間の接続を確立し、携帯情報装置２００からログイン要求を受信したならば処理をステップＳ２２に進めるが、ログイン要求を受信しなければ処理をステップＳ２４に進める。
【００９９】
ステップＳ２２においては、認証に成功したか否かを判断する。認証に成功したならば処理をステップＳ２３に進め、認証に失敗したならば処理をステップＳ２４に進める。具体的には、通信Ｉ／Ｆ部１１２を介して、携帯情報装置２００にログイン画面を送信し、携帯情報装置２００が送信するユーザー識別情報と認証情報とを受信する。そして、受信されたユーザー識別情報と認証情報とをＨＤＤ１１５に予め記憶されているユーザーデータと比較する。両者が一致すれば認証成功と判断し、両者が一致しなければ認証失敗と判断する。ステップＳ２３においては、携帯情報装置２００のユーザーのログインを許可し、処理をステップＳ２４に進める。
【０１００】
ステップＳ２４においては、操作を受け付けたか否かを判断する。操作部１６３に、ユーザーが操作を入力すると、操作を受け付ける。また、ステップＳ２２において、携帯情報装置２００のユーザーの認証に成功し、ログインを許可している場合は、通信Ｉ／Ｆ部１１２が、携帯情報装置２００から遠隔操作指令を受信すると、受信された遠隔操作指令により定まる操作を受け付ける。操作を受け付けたならば処理をステップＳ２５に進めるが、そうでなければ処理をステップＳ２８に進める。
【０１０１】
ステップＳ２５においては、受け付けられた操作が、処理の実行を指示する実行指示か否かを判断する。実行指示ならば処理をステップＳ２６に進めるが、そうでなければ処理をステップＳ２７に進める。ステップＳ２６においては、設定値に従って処理を実行し、処理をステップＳ２８に進める。ステップＳ２６において実行される処理は、例えば、画像形成部１４０を制御して画像を形成する画像形成処理、原稿読取部１３０を制御して原稿の画像を読み取る原稿読取処理、通信Ｉ／Ｆ部１１２を制御してデータを送受信するデータ送受信処理、ファクシミリ部１１６を制御してファクシミリデータを送受信するファクシミリ送受信処理、ＨＤＤ１１５または外部記憶装置１１７を制御してデータを書き込みまたは読み出すデータ管理処理を含む。
【０１０２】
一方、処理がステップＳ２７に進む場合は、受け付けられた操作が、設定値を設定する操作である。ステップＳ２７においては、設定値を設定し、処理をステップＳ２８に進める。例えば、操作により特定される設定値の入力を受け付け、それまで設定されている設定値を入力された設定値で更新する。なお、ステップＳ２４において受け付けられる操作が、表示部１６１に表示されている操作画面を切り換える操作の場合は、操作により特定される操作画面を表示部１６１に表示する。
【０１０３】
ステップＳ２８においては、撮像通知を受信したか否かを判断する。撮像通知を受信したならば処理をステップＳ２９に進めるが、そうでなければ処理をステップＳ３２に進める。ステップＳ２９においては、撮像通知を送信してきた装置を操作するユーザーがログイン中か否かを判断する。ログイン中ならば処理をステップＳ３０に進めるが、そうでなければ処理をステップＳ３２に進める。撮像通知を送信してきた装置が、ステップＳ２３においてログインが許可されたユーザーが操作する携帯情報装置２００と同じか否かを判断する。より具体的には、ステップＳ２２において受信されたログイン要求を送信してきた装置の装置識別情報と、ステップＳ２８において受信された撮像通知を送信してきた装置の装置識別情報とが同じならばログイン中と判断する。
【０１０４】
ステップＳ３０においては、データ決定処理を実行し、処理をステップＳ３１に進める。データ決定処理の詳細は後述するが、表示部１６１に表示されている操作画面に関連する関連データを決定する処理である。ステップＳ３１においては、関連データを、撮像通知を送信してきた携帯情報装置２００に送信し、処理をステップＳ３９に進める。
【０１０５】
ステップＳ３２においては、関連データを受信したか否かを判断する。関連データを受信したならば処理をステップＳ３３に進めるが、そうでなければ処理をステップＳ３９に進める。ステップＳ３３においては、関連データを送信してきた装置を操作するユーザーがログイン中か否かを判断する。ログイン中ならば処理をステップＳ３４に進めるが、そうでなければ処理をステップＳ３９に進める。関連データを送信してきた装置が、ステップＳ２３においてログインが許可されたユーザーが操作する携帯情報装置２００と同じか否かを判断する。より具体的には、ステップＳ２２において受信されたログイン要求を送信してきた装置の装置識別情報と、ステップＳ３２において受信された関連データを送信してきた装置の装置識別情報とが同じならばログイン中と判断する。
【０１０６】
ステップＳ３４においては、関連データが設定値を含むか否かを判断する。関連データが設定値を含むならば処理をステップＳ３５に進めるが、そうでなければ処理をステップＳ３７に進める。ステップＳ３５においては、関連データに含まれる設定値を設定し、処理をステップＳ３６に進める。関連データに含まれる設定値で、それまで設定されている設定値を更新する。次のステップＳ３６においては、表示部１６１に設定画面を表示し、処理をステップＳ３９に進める。ここで表示部１６１に表示される設定画面は、ステップＳ３５において設定値が設定された項目を含む設定画面である。
【０１０７】
一方、処理がステップＳ３７に進む場合は、関連データが設定値を含まず、データを含む場合である。ステップＳ３７においては、関連データに含まれるデータを処理対象に設定し、処理をステップＳ３８に進める。ここでは、関連データに含まれるデータを、ＨＤＤ１１５に記憶するとともに、記憶されたデータを処理対象に設定する。ステップＳ３８においては、ＢＯＸ管理画面を表示し、処理をステップＳ３９に進める。ここで表示されるＢＯＸ管理画面は、ステップＳ３７においてＨＤＤ１１５に記憶されたデータを選択した状態のＢＯＸ管理画面である。
【０１０８】
ステップＳ３９においては、ログアウト要求を受信したか否かを判断する。ログアウト要求を受信したならば処理をステップＳ４０に進めるが、そうでなければ処理をステップＳ２１に戻す。ステップＳ４０においては、ログアウト要求を送信してきた装置を操作するユーザーがログイン中か否かを判断する。ログイン中ならば処理をステップＳ４１に進めるが、そうでなければ処理をステップＳ２１に戻す。ログアウト要求を送信してきた装置が、ステップＳ２３においてログインが許可されたユーザーが操作する携帯情報装置２００と同じか否かを判断する。より具体的には、ステップＳ２２において受信されたログイン要求を送信してきた装置の装置識別情報と、ステップＳ３９において受信されたログアウト要求を送信してきた装置の装置識別情報とが同じならばログイン中と判断する。
【０１０９】
ステップＳ４１においては、ステップＳ２３においてログインが許可されたユーザーをログアウトし、処理をステップＳ２１に戻す。
【０１１０】
図８は、データ決定処理の流れの一例を示すフローチャートである。データ決定処理は、図７のステップＳ３０において実行される処理である。図８を参照して、表示部１６１に表示されている操作画面の種類を判別し、操作画面の種類によって処理を分岐させる(ステップＳ５１)。操作画面が設定画面ならば処理をステップＳ５２に進め、操作画面がプレビュー画面ならば処理をステップＳ５３に進め、操作画面がジョブ履歴画面ならば処理をステップＳ５６に進め、操作画面がＢＯＸ画面ならば処理をステップＳ５７に進める。
【０１１１】
ステップＳ５２においては、表示部１６１に表示されている設定画面において設定されている設定値を関連データに設定し、処理を遠隔制御処理に戻す。設定画面において設定されている設定値は、画像形成処理に用いられる設定値、原稿読取処理に用いられる設定値、データ送受信処理に用いられる設定値、ファクシミリ送受信処理に用いられる設定値、データ管理処理に用いられる設定値を含む。また、設定画面において設定されている設定値は、設定画面に表示されている設定値に限らず、設定画面に対応する処理を実行するための設定値のすべてを含む。例えば、設定画面が、画像形成処理を実行するための設定値として、画像形成枚数を表示する領域を含む場合、画像形成処理を実行するための設定値として設定されているすべての設定値を含む。画像形成処理を実行するための設定値は、例えば、用紙のサイズ、拡大率または縮小率、ソートの有無等を含む。
【０１１２】
ステップＳ５３においては、プレビュー対象のデータを関連データに設定する。具体的には、表示部１６１に表示されているプレビュー画面に含まれる画像に対応するデータを取得し、取得されたデータを関連データに設定する。プレビュー画面に含まれる画像に対応するデータは、例えば、原稿読取部１３０が原稿を読み取って出力するデータ、ＨＤＤ１１５または外部記憶装置１１７から読み出されたデータを含む。このため、取得されたデータが複数ページで構成される場合がある。
【０１１３】
次のステップＳ５４においては、プレビュー画面に表示されている画像のページを特定する。ステップＳ５３において特定されたデータが、複数ページからなる場合、プレビュー画面に含まれる画像に対応するページを特定する。そして、特定されたページを識別するためのページ識別情報を関連データに設定し（ステップＳ５５）、処理を遠隔制御処理に戻す。
【０１１４】
ステップＳ５６においては、ジョブ履歴画面において選択されている履歴情報を関連データに設定し、処理を遠隔制御処理に戻す。具体的には、表示部１６１に表示されているジョブ履歴画面に含まれる履歴情報を特定し、特定した履歴情報を関連データに決定する。ジョブ履歴画面が複数の履歴情報を含む場合、ユーザーが操作部１６３に入力する操作によって、複数の履歴情報のうちから選択されている１つの履歴情報を特定する。
【０１１５】
ステップＳ５７においては、ＢＯＸ画面において選択されているデータを関連データに設定し、処理を遠隔制御処理に戻す。具体的には、表示部１６１にＢＯＸ画面が表示されている状態において、ユーザーは、操作部１６３を操作して、ＢＯＸ画面のデータの一覧を表示する領域に含まれるデータ識別情報の１つを選択することができる。表示部１６１に表示されているＢＯＸ画面によってユーザーにより処理対象に選択されたデータを関連データに設定する。
【０１１６】
図９は、遠隔操作処理の流れの一例を示すフローチャートである。遠隔操作処理は、携帯情報装置２００が備えるＣＰＵ２０１が、フラッシュメモリ２０３に記憶された遠隔操作プログラムを実行することにより、ＣＰＵ２０１により実行される処理である。図９を参照して、ＣＰＵ２０１は、ＭＦＰ１００，１０１，１０２のうちから１つを選択する（ステップＳ０１）。遠隔操作の対象となりうる装置として、予め登録されたＭＦＰ１００，１０１，１０２それぞれの装置識別情報を含む選択画面を、表示部２０６に表示し、ユーザーが選択画面に表示された装置識別情報を選択する操作を操作部２０７に入力すれば、ＭＦＰ１００，１０１，１０２のうち選択された装置識別情報の装置を選択する。以下、遠隔操作の対象となる装置として、ＭＦＰ１００がユーザーにより選択された場合を例に説明する。
【０１１７】
次のステップＳ０２においては、選択された装置にログインする。ＭＦＰ１００にログイン要求を送信し、ＭＦＰ１００が返信するログイン画面を表示部２０６に表示し、ユーザーが操作部２０７にログイン画面に従って入力するユーザー識別情報と認証情報とを、ＭＦＰ１００に送信する。そして、ログインに成功したか否かを判断する（ステップＳ０３）。ログインに成功したならば処理をステップＳ０４に進めるが、そうでなければ処理をステップＳ０１に戻す。
【０１１８】
ステップＳ０４においては、シャッターボタンが押下されたか否かを判断する。操作部２０７が備えるシャッターボタンがユーザーにより押下されたならば処理をステップＳ０５に進め、そうでなければ処理をステップＳ１１に進める。
【０１１９】
ステップＳ０５においては、カメラ２０２を制御して撮像する。次のステップＳ０６においては、カメラ２０２の被写体がＭＦＰ１００の操作パネル１６０か否かを判断する。カメラ２０２の被写体が操作パネル１６０ならば処理をステップＳ０７に進めるが、そうでなければ処理をステップＳ１１に進める。例えば、ＭＦＰ１００を遠隔操作の対象となり得る装置として携帯情報装置に登録する際に、ＭＦＰ１００の操作パネル１６０を被写体としてカメラ２０２で撮像し、カメラ２０２が出力する撮像画像を登録画像として記憶しておき、ステップＳ０５において撮像して得られる撮像画像を、登録画像と比較することにより、被写体が操作パネル１６０か否かを判断する。
【０１２０】
ステップＳ０７においては、ステップＳ０５における撮像によってカメラ２０２が出力する撮像画像をフラッシュメモリ２０３の予め定められた領域に記憶する。次のステップＳ０８においては、撮像通知を送信する。ステップＳ０２においてログインしたＭＦＰ１００に、撮像したことを示す撮像通知を、無線ＬＡＮＩ／Ｆ２０８を介して送信する。撮像通知を受信するＭＦＰ１００は、関連データを返信するので、次のステップＳ０９においては、ＭＦＰ１００から関連データを受信するまで待機状態となり（ステップＳ０９でＮＯ）、関連データを受信したならば処理をステップＳ１０に進める。無線ＬＡＮＩ／Ｆ２０８が受信する関連データを送信してきた装置の装置識別情報が、ステップＳ０２においてログインした装置、ここではＭＦＰ１００の装置識別情報と同じである場合に、関連データを受信する。これにより、ステップＳ０８において撮像通知を送信した装置のみから関連データを受信することができる。
【０１２１】
ステップＳ１０においては、ステップＳ０９において受信された関連データを、ステップＳ０７において記憶された撮像画像と関連付けて、フラッシュメモリ２０３に記憶し、処理をステップＳ１１に進める。
【０１２２】
ステップＳ１１においては、ステップＳ０９において受信された関連データがページ識別情報を含むか否かを判断する。関連データがページ識別情報を含むならば処理をステップＳ１２に進めるが、そうでなければ処理をステップＳ１８に進める。ステップＳ１２においては、ページの画像を表示部２０６に表示し、処理をステップＳ１３に進める。具体的には、関連データがページ識別情報を含む場合、関連データに含まれるデータは、複数ページからなるので、関連データに含まれるデータの複数ページのうち関連データに含まれるページ識別情報で特定されるページの画像を表示部２０６に表示する。これにより、ＭＦＰ１００において表示されている画像と同じ画像が、表示部２０６に表示されるので、ＭＦＰ１００において表示の対象とされているデータが、携帯情報装置２００に送信され、記憶されたことをユーザーは確認することができる。
【０１２３】
ステップＳ１３においては、撮像画像閲覧指示を受け付けたか否かを判断する。撮像画像閲覧指示を受け付けたならば処理をステップＳ１４に進めるが、そうでなければ処理をステップＳ１８に進める。撮像画像閲覧指示は、ステップＳ０７においてフラッシュメモリ２０３に記憶された撮像画像の閲覧を指示する操作である。ステップＳ１４においては、フラッシュメモリ２０３に記憶された撮像画像を、表示部２０６に表示する。フラッシュメモリ２０３に複数の撮像画像が記憶されている場合、複数の撮像画像を一覧表示する。複数の撮像画像を１つの画面に表示してもよいし、１以上の撮像画像を含む画面を順に表示してもよい。
【０１２４】
次のステップＳ１５においては、表示部２０６に表示された撮像画像が、ユーザーにより選択されたか否かを判断する。ユーザーが操作部２０７に入力する操作に従って、表示部２０６に表示された１以上の撮像画像のうちから１つが選択されたならば処理をステップＳ１６に進めるが、そうでなければ処理をステップＳ１８に進める。
【０１２５】
ステップＳ１６においては、選択された撮像画像と関連する関連データをフラッシュメモリ２０３から読み出す。フラッシュメモリ２０３に記憶されている関連データは、ステップＳ１０において、フラッシュメモリ２０３に、撮像画像と関連付けて記憶される。このため、ユーザーにより選択された撮像画像は、フラッシュメモリ２０３に記憶された関連データのいずれかと関連付けられているので、ユーザーにより選択された撮像画像と関連付けられた関連データを読み出す。
【０１２６】
次のステップＳ１７においては、関連データを、ステップＳ０３においてログインした装置、ここではＭＦＰ１００に送信し、処理をステップＳ１８に進める。ステップＳ１８においては、ログアウト指示を受け付けたか否かを判断する。ログアウト指示を受け付けたならば処理を終了するが、そうでなければ処理をステップＳ０４に戻す。
【０１２７】
次に、携帯情報装置２００と、ＭＦＰ１００，１０１，１０２とを用いて、画像を形成する流れについて具体的に説明する。ここでは、ユーザーが、まずＭＦＰ１００を操作して画像を形成した後に、ＭＦＰ１０１を操作して画像を形成する場合を例に説明する。
【０１２８】
図１０は、携帯情報装置とＭＦＰとで画像を形成する流れの一例を示す第１の図である。図１０を参照して、上から下に時間の流れを示し、左側から順に、携帯情報装置２００、ＭＦＰ１００、ＭＦＰ１０１それぞれに対応する時間軸を示す。まず、ユーザーが、携帯情報装置２００を操作して、ＭＦＰ１００を遠隔操作の対象として選択すれば、携帯情報装置２００がＭＦＰ１００にログイン要求を送信する。ＭＦＰ１００においては、ログイン要求を受信し、認証に成功すれば、認証結果を携帯情報装置２００に返信する。
【０１２９】
その後、携帯情報装置２００のユーザーが、ＭＦＰ１００の操作部１６３を操作し、操作を入力すれば、ＭＦＰ１００はユーザーが入力する操作を受け付け、設定画面を表示する。ユーザーが設定値を設定する操作を入力すれば、入力された設定値を設定する。
【０１３０】
次に、ユーザーが、携帯情報装置２００を操作して、ＭＦＰ１００の操作パネル１６０が被写体となるようにカメラ２０２の画角を合わせた状態で、シャッターボタンを押下すれば、携帯情報装置２００は、撮像通知をＭＦＰ１００に送信する。ＭＦＰ１００は、撮像通知を受信すると、表示部１６１に表示している設定画面に関連する関連データ、ここでは設定画面に含まれる設定値を含む関連データを、返信する。
【０１３１】
さらに、携帯情報装置２００は、関連データを受信すると、関連データと撮像画像とを関連付けて記憶する。その後、ユーザーは、ＭＦＰ１００の操作部１６３を操作して、画像を形成させる等の処理を実行するようにしても良い。
【０１３２】
次に、ユーザーが、携帯情報装置２００を操作して、ＭＦＰ１０１を遠隔操作の対象として選択すれば、携帯情報装置２００がＭＦＰ１０１にログイン要求を送信する。ＭＦＰ１０１においては、ログイン要求を受信し、認証に成功すれば、認証結果を携帯情報装置２００に返信する。
【０１３３】
その後、携帯情報装置２００のユーザーが、携帯情報装置２００に記憶された撮像画像を選択すれば、携帯情報装置２００は、ユーザーにより選択された撮像画像と関連付けて記憶された関連データを取得し、関連データを含む遠隔操作指令を送信する。ここでは、ＭＦＰ１００の表示部１６１に設定画面が表示された状態で、操作パネル１６０を撮像して得られる撮像画像が選択されたとすれば、先に、ＭＦＰ１００から受信された関連データを含む遠隔操作指令が、ＭＦＰ１０１に送信される。ＭＦＰ１００から受信された関連データは、設定値を含む。
【０１３４】
ＭＦＰ１０１は、携帯情報装置２００から関連データを受信すると、関連データに含まれる設定値を設定し、その設定値を含む設定画面を表示する。このため、ＭＦＰ１００で設定された設定値と同じ設定値が、ＭＦＰ１０１に設定される。従って、ユーザーは、ＭＦＰ１０１において、設定値を設定する操作を入力する必要がない。その後、ユーザーは、ＭＦＰ１０１の操作部１６３を操作すれば、ＭＦＰ１０１は、入力された操作を受け付け、処理を実行する。
【０１３５】
図１０に示した例においては、ＭＦＰ１００の表示部１６１に設定画面が表示されている状態で、ユーザーが、携帯情報装置２００のシャッターボタンを押下する場合を示した。ＭＦＰ１００の表示部１６１にジョブ履歴画面が表示されている状態で、ユーザーが、携帯情報装置２００のシャッターボタンを押下する場合は、ＭＦＰ１００から送信される関連データが履歴情報を含む点が異なる。また、ＭＦＰ１０１に送信される遠隔操作指令に含まれる関連データが、履歴情報を含む。
【０１３６】
より具体的には、ユーザーが、携帯情報装置２００を操作して、ＭＦＰ１００にログインし、ＭＦＰ１００の表示部１６１に表示されたジョブ履歴画面を被写体として携帯情報装置２００のシャッターボタンを押下すれば、ＭＦＰ１００は、ジョブ履歴画面において選択されている履歴情報を含む関連データを携帯情報装置２００に返信する。携帯情報装置２００は、ジョブ履歴画面を撮像した撮像画像と関連データとを記憶する。次に、ユーザーが、携帯情報装置２００を操作して、ＭＦＰ１０１にログインし、ジョブ履歴画面を撮像した撮像画像を選択すれば、携帯情報装置２００は、撮像画像と関連付けられた関連データをＭＦＰ１０１に送信する。この関連データは、ＭＦＰ１００において実行された処理の履歴を示す履歴情報を含む。ＭＦＰ１０１は、関連データを受信すると、関連データに含まれる履歴情報に含まれる設定値を設定するので、ＭＦＰ１００で実行された処理に用いられた設定値と同じ設定値が、ＭＦＰ１０１に設定される。例えば、ＭＦＰ１００において、ジョブ履歴画面において、ファクシミリ送信処理を実行した履歴情報が選択されていた場合、履歴情報は、ファクシミリの送信先のファクシミリ番号を含む。この場合、ＭＦＰ１０１は、履歴情報に含まれるファクシミリ番号を送信先の設定として設定する。このため、ユーザーは、ＭＦＰ１０１において、ファクシミリ番号を設定する操作を入力する必要がない。
【０１３７】
また、履歴情報は、例えば、電子メールの送受信する処理が実行される場合の履歴情報を含む場合がある。履歴情報が、電子メールの送受信する処理が実行された履歴情報を含む場合、電子メールの送受信先の電子メールアドレスが設定値である。また、履歴情報は、ファイルを送受信する処理が実行される場合の履歴情報を含無場合がある。履歴情報が、ファイルを送受信する処理が実行された履歴情報を含む場合、ファイルの送受信先の装置のＩＰ（Ｉｎｔｅｒｎｅｔ  Ｐｒｏｔｏｃｏｌ）アドレスが設定値である。
【０１３８】
図１１は、携帯情報装置とＭＦＰとで画像を形成する流れの一例を示す第２の図である。図１１を参照して、上から下に時間の流れを示し、左側から順に、携帯情報装置２００、ＭＦＰ１００、ＭＦＰ１０１それぞれに対応する時間軸を示す。まず、ユーザーが、携帯情報装置２００を操作して、ＭＦＰ１００を遠隔操作の対象として選択すれば、携帯情報装置２００がＭＦＰ１００にログイン要求を送信する。ＭＦＰ１００においては、ログイン要求を受信し、認証に成功すれば、認証結果を携帯情報装置２００に返信する。
【０１３９】
その後、携帯情報装置２００のユーザーが、ＭＦＰ１００の操作部１６３を操作し、操作を入力すれば、ＭＦＰ１００はユーザーが入力する操作を受け付け、ＢＯＸ画面を表示する。ＭＦＰ１００は、ユーザーがＢＯＸ画面に含まれるデータ識別情報を選択する操作を入力すれば、選択されたデータ識別情報で特定されるデータを処理対象に設定する。
【０１４０】
次に、ユーザーが、携帯情報装置２００を操作して、ＭＦＰ１００の操作パネル１６０が被写体となるようにカメラ２０２の画角を合わせた状態で、シャッターボタンを押下すれば、携帯情報装置２００は、撮像通知をＭＦＰ１００に送信する。ＭＦＰ１００は、撮像通知を受信すると、表示部１６１に表示しているＢＯＸ画面に関連する関連データ、ここではＢＯＸ画面において選択されているデータ識別情報で特定されるデータを含む関連データを、返信する。その後、ユーザーは、ＭＦＰ１００の操作部１６３を操作して、画像を形成させる等の処理を実行するようにしても良い。
【０１４１】
携帯情報装置２００は、関連データを受信すると、関連データと撮像画像とを関連付けて記憶する。その後、ユーザーは、ＭＦＰ１００の操作部１６３を操作して、画像を形成させる等の処理を実行するようにしても良い。
【０１４２】
次に、ユーザーが、携帯情報装置２００を操作して、ＭＦＰ１０１を遠隔操作の対象として選択すれば、携帯情報装置２００がＭＦＰ１０１にログイン要求を送信する。ＭＦＰ１０１においては、ログイン要求を受信し、認証に成功すれば、認証結果を携帯情報装置２００に返信する。
【０１４３】
その後、携帯情報装置２００のユーザーが、携帯情報装置２００に記憶された撮像画像を選択すれば、携帯情報装置２００は、ユーザーにより選択された撮像画像と関連付けて記憶された関連データを取得し、関連データを含む遠隔操作指令を送信する。ここでは、ＭＦＰ１００の表示部１６１にＢＯＸ画面が表示された状態で、操作パネル１６０を撮像して得られる撮像画像が選択されたとすれば、先に、ＭＦＰ１００から受信された関連データを含む遠隔操作指令が、ＭＦＰ１０１に送信される。ＭＦＰ１００から受信された関連データは、データを含む。
【０１４４】
ＭＦＰ１０１は、携帯情報装置２００から関連データを受信すると、関連データに含まれるデータを処理対象に設定し、処理対象のデータを選択した状態のＢＯＸ画面を表示する。このため、ＭＦＰ１００で処理対象に選択したデータと同じデータを、ＭＦＰ１０１で処理対象に設定することができる。その後、ユーザーは、ＭＦＰ１０１の操作部１６３を操作すれば、ＭＦＰ１０１は、入力された操作を受け付け、処理対象に設定されたデータに対して処理を実行する。
【０１４５】
図１２は、携帯情報装置とＭＦＰとで画像を形成する流れの一例を示す第３の図である。図１２を参照して、上から下に時間の流れを示し、左側から順に、携帯情報装置２００、ＭＦＰ１００、ＭＦＰ１０１それぞれに対応する時間軸を示す。まず、ユーザーが、携帯情報装置２００を操作して、ＭＦＰ１００を遠隔操作の対象として選択すれば、携帯情報装置２００がＭＦＰ１００にログイン要求を送信する。ＭＦＰ１００においては、ログイン要求を受信し、認証に成功すれば、認証結果を携帯情報装置２００に返信する。
【０１４６】
その後、携帯情報装置２００のユーザーが、ＭＦＰ１００の操作部１６３を操作し、操作を入力すれば、ＭＦＰ１００はユーザーが入力する操作を受け付け、プレビュー画面を表示する。
【０１４７】
次に、ユーザーが、携帯情報装置２００を操作して、ＭＦＰ１００の操作パネル１６０が被写体となるようにカメラ２０２の画角を合わせた状態で、シャッターボタンを押下すれば、携帯情報装置２００は、撮像通知をＭＦＰ１００に送信する。ＭＦＰ１００は、撮像通知を受信すると、表示部１６１に表示しているプレビュー画面に関連する関連データ、ここではプレビューの対象とされているデータと、プレビュー画面に含まれる画像に対応するページのページ識別情報と、を含む関連データを、返信する。
【０１４８】
携帯情報装置２００は、関連データを受信すると、関連データに含まれるデータが有する複数ページのうち、ページ識別情報で特定されるページの画像を表示部１６１に表示する。これにより、ＭＦＰ１００の表示部１６１に表示されておりプレビュー画面に含まれる画像と同じ画像が、携帯情報装置２００の表示部２０６に表示されるので、ＭＦＰ１００でプレビューの対象とされていたデータが、携帯情報装置２００に記憶されたことを、表示部２０６に表示されたページの画像で確認することができる。
【０１４９】
さらに、携帯情報装置２００は、関連データと撮像画像とを関連付けて記憶する。その後、ユーザーは、ＭＦＰ１００の操作部１６３を操作して、画像を形成させる等の処理を実行するようにしても良い。
【０１５０】
次に、ユーザーが、携帯情報装置２００を操作して、ＭＦＰ１０１を遠隔操作の対象として選択すれば、携帯情報装置２００がＭＦＰ１０１にログイン要求を送信する。ＭＦＰ１０１においては、ログイン要求を受信し、認証に成功すれば、認証結果を携帯情報装置２００に返信する。
【０１５１】
その後、携帯情報装置２００のユーザーが、携帯情報装置２００に記憶された撮像画像を選択すれば、携帯情報装置２００は、ユーザーにより選択された撮像画像と関連付けて記憶された関連データを取得し、関連データを含む遠隔操作指令を送信する。ここでは、ＭＦＰ１００の表示部１６１にプレビュー画面が表示された状態で、操作パネル１６０を撮像して得られる撮像画像が選択されたとすれば、先に、ＭＦＰ１００から受信された関連データを含む遠隔操作指令が、ＭＦＰ１０１に送信される。ＭＦＰ１００から受信された関連データは、データとページ識別情報とを含む。
【０１５２】
ＭＦＰ１０１は、携帯情報装置２００から関連データを受信すると、関連データに含まれるデータを処理対象に設定し、処理対象のデータを選択した状態のＢＯＸ画面を表示する。このため、ＭＦＰ１００でプレビューの対象とされたデータと同じデータを、ＭＦＰ１０１で処理対象に設定することができる。その後、ユーザーは、ＭＦＰ１０１の操作部１６３を操作すれば、ＭＦＰ１０１は、入力された操作を受け付け、処理対象に設定されたデータに対して処理を実行する。
【０１５３】
例えば、ＭＦＰ１００で原稿を読み取る操作を入力し、プレビュー画面を撮影しておけば、次に、ＭＦＰ１０１にログインすれば、ＭＦＰ１００で原稿を読み取って得られるデータを、ＭＦＰ１０１で処理対象に設定することができる。そして、ＭＦＰ１０１に続けて操作を入力すれば、ＭＦＰ１００で原稿を読み取ったデータを、ＭＦＰ１０１で画像形成、ファクシミリ送信、ファイル転送、電子メール送信等をすることができる。
【０１５４】
以上説明したように、本実施の形態における画像形成システム１は、携帯情報装置２００によって、ＭＦＰ１００の表示部１６１に表示された操作画面が撮像されると、ＭＦＰ１００に撮像通知が送信され、ＭＦＰ１００によって、携帯情報装置２００から撮像通知を受信した時点で表示されている操作画面に関連する関連データが、携帯情報装置２００に送信され、携帯情報装置２００によって、ＭＦＰ１００から受信される関連データが記憶される。このため、携帯情報装置２００で、操作画面を撮像する簡単な操作で、ＭＦＰ１００に表示されている操作画面に関連する関連データを携帯情報装置２００に記憶させることができる。
【０１５５】
また、携帯情報装置２００により、ＭＦＰ１００の操作画面を撮像して得られる画像が記憶され、記憶された画像が指定されることに応じて、指定された画像に関連付けられた関連データを含む遠隔操作指令がＭＦＰ１００に送信され、ＭＦＰ１００により、遠隔操作指令に含まれる関連データに基づいて処理が実行される。操作画面を撮像して得られる画像と関連データとが関連付けられるので、ユーザーは、画像を見て、その画像に含まれる操作画面に関連する関連データを容易に特定することができる。
【０１５６】
また、ＭＦＰ１００は、携帯情報装置２００から受信される関連データに基づいて処理を実行するので、ユーザーが、過去にＭＦＰ１００を操作していた時の操作画面の画像を選択する操作で、現在のＭＦＰ１００を、過去にＭＦＰ１００を操作していた状態と同じ状態にすることができる。
【０１５７】
さらに、関連データが、ＭＦＰ１００が処理を実行するための設定値の場合、ＭＦＰ１００に設定値を設定させる遠隔操作指令がＭＦＰ１００に送信される。このため、ＭＦＰ１００の設定値を、過去にＭＦＰ１００を操作していたときと同じ値に設定することができる。
【０１５８】
さらに、ＭＦＰ１００は、携帯情報装置２００から撮像通知を受信した時点で表示されている操作画面が設定画面の場合、設定画面において設定されている設定値を関連データとして決定する。このため、ユーザーは、ＭＦＰ１００に設定するための設定値を、設定画面の画像を選択することにより選択することができる。
【０１５９】
また、ＭＦＰ１００は、携帯情報装置２００から撮像通知を受信した時点で表示されている操作画面が履歴表示画面の場合、履歴表示画面により特定される処理のために設定されていた設定値を関連データとして決定する。このため、ユーザーは、ＭＦＰ１００に設定するための設定値を、履歴表示画面の画像を選択することにより、過去にＭＦＰ１００に処理を実行させたときの設定値と同じ値に設定することができる。
【０１６０】
また、ＭＦＰ１００は、携帯情報装置２００から撮像通知を受信した時点で、ＨＤＤ１１５に記憶されているデータのうちから処理の対象として１つのデータを選択した状態の場合、処理の対象に選択されているデータを関連データとして決定し、携帯情報装置２００は、関連データがＭＦＰ１００が処理可能なデータの場合、ＭＦＰ１００にデータを処理対象に設定させる遠隔操作指令を送信する。このため、ＭＦＰ１００が処理対象とするデータを、過去にＭＦＰ１００を操作していたときに処理対象に設定されていたデータと同じデータに設定することができる。
【０１６１】
また、ユーザーが、過去に、例えば、ＭＦＰ１００を操作していた時の操作画面の画像を選択する操作で、ＭＦＰ１０１に、過去に操作していたＭＦＰ１００の状態と同じ状態に遠隔操作することができる。
【０１６２】
さらに、ＭＦＰ１００によって、撮像通知が受信された時点でプレビュー画面が表示されている場合、複数ページからなるデータと、プレビュー画面に表示されている画像に対応するページのページ識別情報と、が関連データに決定され、携帯情報装置２００によって、関連データに含まれるデータのページ識別情報で特定されるページの画像が表示される。このため、ＭＦＰ１００に表示されているプレビュー画面に含まれる画像と同じ画像が携帯情報装置２００に表示される。その結果、プレビュー画面で表示されているページを含むデータが携帯情報装置に記憶されたことをユーザーに通知することができる。
【０１６３】
また、ＭＦＰ１００によって、撮像通知が受信された時点でＢＯＸ画面が表示されている場合、ＭＦＰ１００においてＢＯＸ画面で選択されていたデータが関連データに決定され、携帯情報装置２００によって、関連データに含まれるデータが携帯情報装置２００に記憶される。その結果、ＢＯＸ画面で選択されたデータを携帯情報装置２００に記憶することができる。
【０１６４】
なお、上述した実施の形態においては、画像形成システム１について説明したが、図７および図８に示した遠隔制御処理を、ＭＦＰ１００，１０１，１０２に実行させ、図９に示した遠隔操作処理を携帯情報装置に実行させる遠隔操作方法、または、遠隔制御処理をＭＦＰ１００，１０１，１０２それぞれが備えるＣＰＵ１１１に実行させる遠隔制御プログラム、遠隔操作方法を携帯情報装置２００が備えるＣＰＵ２０１に実行させる遠隔操作プログラムとして、発明を特定することができるのは言うまでもない。
【０１６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６６】
１  画像形成システム、１００，１０１，１０２  ＭＦＰ、１０５  ＰＣ、２００  携帯情報装置、３００  無線局、２  ネットワーク、５１  表示制御部、５３  データ決定部、５５  認証部、５７  通知受信部、５９  関連データ送信部、６１  遠隔制御部、６３  処理制御部、７１  設定画面表示部、７３  ジョブ履歴表示部、７５  プレビュー画面表示部、７７  ＢＯＸ画面表示部、８１  設定値決定部、８３  履歴特定部、８５  プレビューデータ取得部、８７  ページ番号特定部、８９  選択データ取得部、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１１８  ＣＤ−ＲＯＭ、１２０  自動原稿搬送装置、１３０  原稿読取部、１４０  画像形成部、１５０  給紙部、１６０  操作パネル、１６１  表示部、１６３  操作部、２００  携帯情報装置、２０１  ＣＰＵ、２０２  カメラ、２０３  フラッシュメモリ、２０４  無線通信部、２０５  通話部、２０６  表示部、２０７  操作部、２０８  無線ＬＡＮＩ／Ｆ、２５１  装置選択部、２５３  ログイン部、２５５  通知部、２５７  関連データ受信部、２５９  ページ画像表示制御部、２６１  関連データ記憶部、２６３  撮像制御部、２６５  画像記憶部、２６７  関連付部、２６９  画像表示制御部、２７１  画像選択部、２７３  遠隔操作部。
【図１】
2014036356.tif 000003
【図２】
2014036356.tif 000004
【図３】
2014036356.tif 000005
【図４】
2014036356.tif 000006
【図５】
2014036356.tif 000007
【図６】
2014036356.tif 000008
【図７】
2014036356.tif 000009
【図８】
2014036356.tif 000010
【図９】
2014036356.tif 000011
【図１０】
2014036356.tif 000012
【図１１】
2014036356.tif 000013
【図１２】
2014036356.tif 000014
【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
画像形成装置と該画像形成装置と通信可能な携帯情報装置とで構成される画像形成システムであって、
前記携帯情報装置は、被写体を撮像する撮像手段と、
前記画像形成装置の操作画面の撮像に応じて前記画像形成装置に撮像したことを通知する通知手段と、を備え、
前記画像形成装置は、操作画面を表示する表示制御手段と、
前記携帯情報装置から通知を受信することに応じて、前記通知を受信した時点で表示されている前記操作画面に関連する関連データを、その時点で画像形成装置が有するデータの中から決定するデータ決定手段と、
前記決定された関連データを、前記携帯情報装置に送信する関連データ送信手段と、を備え、
前記携帯情報装置は、さらに、
前記通知に応じて、前記画像形成装置から前記関連データを受信する関連データ受信手段と、
前記受信された関連データを記憶する関連データ記憶手段と、を備える画像形成システム。
【請求項２】
前記携帯情報装置は、さらに、
前記撮像手段が前記画像形成装置の操作画面を撮像して得られる画像を記憶する画像記憶手段と、
前記画像形成装置から受信された前記関連データを前記記憶された画像と関連付ける関連付手段と、
前記画像記憶手段により記憶された前記画像を表示する画像表示制御手段と、
前記画像表示制御手段により表示された前記画像が指定されることに応じて、該指定された画像に関連付けられた前記関連データを含む遠隔操作指令を前記画像形成装置に送信する遠隔操作手段と、を備え、
前記画像形成装置は、前記携帯情報装置から受信される前記遠隔操作指令に従って、前記遠隔操作指令に含まれる前記関連データに基づいて処理を実行する遠隔制御手段をさらに備える、請求項１に記載の画像形成システム。
【請求項３】
前記遠隔操作手段は、前記関連データが前記画像形成装置が処理を実行するための設定値の場合、前記画像形成装置に前記設定値を設定させる遠隔操作指令を前記画像形成装置に送信する、請求項２に記載の画像形成システム。
【請求項４】
前記データ決定手段は、前記通知を受信した時点で表示されている前記操作画面が、前記画像形成装置が処理を実行するための設定値を設定する設定画面の場合、前記設定画面において設定されている設定値を関連データとして決定する、請求項３に記載の画像形成システム。
【請求項５】
前記データ決定手段は、前記通知を受信した時点で表示されている前記操作画面が、前記画像形成装置で実行した処理の履歴を表示する履歴表示画面の場合、前記履歴表示画面により特定される処理のために設定されていた設定値を関連データとして決定する、請求項３または４に記載の画像形成システム。
【請求項６】
前記画像形成装置は、さらに、
データを記憶するためのデータ記憶手段を備え、
前記データ決定手段は、前記通知を受信した時点で、前記画像形成装置が前記データ記憶手段により記憶された１以上のデータのうちから処理の対象として１つのデータを選択した状態の場合、前記通知を受信した時点で前記処理の対象に選択されているデータを関連データとして決定し、
前記遠隔操作手段は、前記関連データが前記画像形成装置が処理可能なデータの場合、前記画像形成装置に前記データを処理対象に設定させる遠隔操作指令を前記画像形成装置に送信する、請求項２に記載の画像形成システム。
【請求項７】
前記画像形成装置は複数であり、
前記携帯情報装置は、さらに、
前記複数の画像形成装置のうちから１つを選択する装置選択手段を備え、
前記通知手段は、前記装置選択手段により前記複数の画像形成装置のうちから選択された第１の画像形成装置に撮像したことを通知し、
前記遠隔操作手段は、前記装置選択手段により前記複数の画像形成装置のうちから選択された第２の画像形成装置に前記遠隔操作指令を送信する、請求項２〜６のいずれかに記載の画像形成システム。
【請求項８】
前記データ決定手段は、前記通知が受信された時点で表示されている前記操作画面が複数ページからなるデータの画像を表示するプレビュー画面の場合、前記複数ページからなるデータと、前記データに含まれる複数ページのうち前記プレビュー画面に表示されている画像に対応するページを識別するためのページ識別情報と、を前記関連データに決定し、
前記携帯情報装置は、さらに、
前記画像形成装置から前記関連データが受信されることに応じて、前記受信された関連データに複数ページからなるデータとページ識別情報とが含まれる場合、前記データに含まれる複数ページのうち前記ページ識別情報で特定されるページの画像を表示するページ画像表示制御手段を備える、請求項１に記載の画像形成システム。
【請求項９】
前記画像形成装置は、さらに、
データを記憶するためのデータ記憶手段を備え、
前記データ決定手段は、前記通知を受信した時点で前記操作画面が前記データ記憶手段により記憶された１以上のデータのうちから前記画像形成装置が処理の対象とするための１つのデータを選択可能な選択画面の場合、前記通知を受信した時点で前記選択画面において処理の対象に選択されているデータを前記関連データに決定する、請求項１に記載の画像形成システム。
【請求項１０】
画像形成装置と該画像形成装置と通信可能な携帯情報装置とで構成される画像形成システムで実行される連携方法あって、
前記携帯情報装置は、被写体を撮像する撮像手段を備えており、
前記携帯情報装置に、
前記撮像手段によって前記画像形成装置の操作画面が撮像されることに応じて前記画像形成装置に撮像したことを通知する通知ステップを実行させ、
前記画像形成装置に、
操作画面を表示する表示制御ステップと、
前記携帯情報装置から通知を受信することに応じて、前記通知を受信した時点で表示されている前記操作画面に関連する関連データを、その時点で画像形成装置が有するデータの中から決定するデータ決定ステップと、
前記決定された関連データを、前記携帯情報装置に送信する関連データ送信ステップと、を実行させ、
前記携帯情報装置に、さらに、
前記通知に応じて、前記画像形成装置から前記関連データを受信する関連データ受信ステップと、
前記受信された関連データを記憶する関連データ記憶ステップと、を実行させる連携方法。
【請求項１１】
前記携帯情報装置に、さらに、
前記撮像手段が前記画像形成装置の操作画面を撮像して得られる画像を記憶する画像記憶ステップと、
前記画像形成装置から受信された前記関連データを前記記憶された画像と関連付ける関連付ステップと、
前記画像記憶ステップにおいて記憶された前記画像を表示する画像表示制御ステップと、
前記画像表示制御ステップにおいて表示された前記画像が指定されることに応じて、該指定された画像に関連付けられた前記関連データを含む遠隔操作指令を前記画像形成装置に送信する遠隔操作ステップと、を実行させ、
前記画像形成装置に、前記携帯情報装置から受信される前記遠隔操作指令に従って、前記遠隔操作指令に含まれる前記関連データに基づいて処理を実行する遠隔制御ステップをさらに実行させる、請求項１０に記載の連携方法。
【手続補正２】
【補正対象書類名】明細書
【補正対象項目名】０００９
【補正方法】変更
【補正の内容】
【０００９】
上述した目的を達成するためにこの発明のある局面によれば、画像形成システムは、画像形成装置と該画像形成装置と通信可能な携帯情報装置とで構成される画像形成システムであって、携帯情報装置は、被写体を撮像する撮像手段と、画像形成装置の操作画面の撮像に応じて画像形成装置に撮像したことを通知する通知手段と、を備え、画像形成装置は、操作画面を表示する表示制御手段と、携帯情報装置から通知を受信することに応じて、通知を受信した時点で表示されている操作画面に関連する関連データを、その時点で画像形成装置が有するデータの中から決定するデータ決定手段と、決定された関連データを、携帯情報装置に送信する関連データ送信手段と、を備え、携帯情報装置は、さらに、通知に応じて、画像形成装置から関連データを受信する関連データ受信手段と、受信された関連データを記憶する関連データ記憶手段と、を備える。
【手続補正３】
【補正対象書類名】明細書
【補正対象項目名】００１０
【補正方法】変更
【補正の内容】
【００１０】
この局面に従えば、携帯情報装置によって、画像形成装置の操作画面が撮像されると、画像形成装置に撮像したことが通知され、画像形成装置によって、携帯情報装置から通知を受信した時点で表示されている操作画面に関連する関連データが、その時点で画像形成装置が有するデータの中から決定され、携帯情報装置に送信され、携帯情報装置によって、画像形成装置から受信される関連データが記憶される。このため、携帯情報装置で撮像する操作によって、画像形成装置に表示されている操作画面に関連する関連データを携帯情報装置に記憶させることができる。その結果、画像形成装置を遠隔操作していた時点の状態を携帯情報装置に記憶させる操作を容易にした画像形成システムを提供することができる。
【手続補正４】
【補正対象書類名】明細書
【補正対象項目名】００２７
【補正方法】変更
【補正の内容】
【００２７】
この発明の他の局面によれば、連携方法は、画像形成装置と該画像形成装置と通信可能な携帯情報装置とで構成される画像形成システムで実行される連携方法あって、携帯情報装置は、被写体を撮像する撮像手段を備えており、携帯情報装置に、撮像手段によって画像形成装置の操作画面が撮像されることに応じて画像形成装置に撮像したことを通知する通知ステップを実行させ、画像形成装置に、操作画面を表示する表示制御ステップと、携帯情報装置から通知を受信することに応じて、通知を受信した時点で表示されている操作画面に関連する関連データを、その時点で画像形成装置が有するデータの中から決定するデータ決定ステップと、決定された関連データを、携帯情報装置に送信する関連データ送信ステップと、を実行させ、携帯情報装置に、さらに、通知に応じて、画像形成装置から関連データを受信する関連データ受信ステップと、受信された関連データを記憶する関連データ記憶ステップと、を実行させる。